(57)【要約】  本願の実施形態で提供される通信方法は端末とRANとの間でRRC接続を確立する方法であり、RRC接続の確立は第1のRRC接続確立と第2のRRC接続確立とを含む。第1のRRC接続確立は端末と第1のRANネットワークエレメントとの無線RRC接続であり、第2のRRC接続確立は第1のRANネットワークエレメントと第2のRANネットワークエレメントとの無線または有線RRC接続である。詳しいプロセスは次のとおりである：RANは第1のRANネットワークエレメントと第2のRANネットワークエレメントとを含んでおり、第1のRANネットワークエレメントと第2のRANネットワークエレメントは相互に接続されており、第1のRANネットワークエレメントは端末とRANとのRRC接続の確立を許可するかどうかを決定し、あるいは端末とRANとの間にRRC接続を確立するため、第1のRANネットワークエレメントと第2のRANネットワークエレメントが端末とRANとのRRC接続の確立を許可するかどうかを共同で決定する。
2020522950.tif 000002
【特許請求の範囲】
【請求項１】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第1のRANネットワークエレメントにより、端末から第1のメッセージを受信するステップであって、前記第1のメッセージは、前記端末と前記RANとの無線リソース制御RRC接続の確立を要求するために使われる、ステップと、
前記第1のRANネットワークエレメントにより、前記第1のメッセージに基づいて前記RRC接続を確立することを決定し、前記端末へ前記第1のメッセージの応答メッセージを送信するステップであって、前記第1のメッセージの前記応答メッセージは、前記端末と前記RANとの前記RRC接続の前記確立が決定されたことを前記端末に通知するために使われる、ステップと、
前記第1のRANネットワークエレメントにより、前記第2のRANネットワークエレメントへ第2のメッセージを送信するステップであって、前記第2のメッセージは、前記端末の前記RRC接続の前記確立のためにリソースを構成することを前記第2のRANネットワークエレメントに要求するために使われる、ステップと、
前記第1のRANネットワークエレメントにより、前記第2のRANネットワークエレメントから前記第2のメッセージの応答メッセージを受信するステップであって、前記第2のメッセージの前記応答メッセージは、前記端末のために前記第2のRANネットワークエレメントによって構成されるリソースパラメータを含んでいる、ステップとを含む、方法。
【請求項２】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項1に記載の方法。
【請求項３】
前記第1のRANネットワークエレメントにより、前記端末へ前記第1のメッセージの応答メッセージを送信する前記ステップの後に、前記方法は、
前記第1のRANネットワークエレメントにより、前記端末によって送信される第3のメッセージを受信するステップであって、前記第3のメッセージは、前記RRC接続の前記確立が完了したことを前記第1のRANネットワークエレメントに通知するために使われる、ステップをさらに含む、請求項1または2に記載の方法。
【請求項４】
前記第1のRANネットワークエレメントにより、前記端末によって送信される第3のメッセージを受信する前記ステップの後に、前記方法は、
前記第1のRANネットワークエレメントにより、前記第2のRANネットワークエレメントへ第4のメッセージを送信するステップであって、前記第4のメッセージは、前記RRC接続の前記確立が完了したことを前記第2のRANネットワークエレメントに通知するために使われる、ステップをさらに含む、請求項3に記載の方法。
【請求項５】
前記第2のメッセージは、前記RRC接続の前記確立が完了したことを前記第2のRANネットワークエレメントに通知するためにさらに使われる、請求項1から3のいずれか一項に記載の方法。
【請求項６】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第2のRANネットワークエレメントにより、前記第1のRANネットワークエレメントから第2のメッセージを受信するステップであって、前記第2のメッセージは、端末の無線リソース制御RRC接続の確立のためにリソースを構成することを前記第2のRANネットワークエレメントに要求するために使われ、第1のメッセージは、前記第1のRANネットワークエレメントが前記第2のRANネットワークエレメントへ前記第2のメッセージを送信する前に前記端末から受信されるメッセージであり、前記第1のメッセージは、前記端末と前記RANとの前記RRC接続の前記確立を要求するために使われる、ステップと、
前記第2のRANネットワークエレメントにより、前記第1のRANネットワークエレメントへ前記第2のメッセージの応答メッセージを送信するステップであって、前記第2のメッセージの前記応答メッセージは、前記端末のために前記第2のRANネットワークエレメントによって構成されるリソースパラメータを含んでいる、ステップとを含む、方法。
【請求項７】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項6に記載の方法。
【請求項８】
前記第2のメッセージは前記RRC接続の前記確立が完了したことを前記第2のRANネットワークエレメントに通知するためにさらに使われる、請求項6または7に記載の方法。
【請求項９】
前記方法は、
前記第2のRANネットワークエレメントにより、前記第1のRANネットワークエレメントから第4のメッセージを受信するステップであって、前記第4のメッセージは、前記RRC接続の前記確立が完了したことを前記第2のRANネットワークエレメントに通知するために使われ、第3のメッセージは、前記第1のRANネットワークエレメントが前記第2のRANネットワークエレメントへ前記第4のメッセージを送信する前に前記端末から前記第1のRANネットワークエレメントによって受信されるメッセージであり、前記第3のメッセージは、前記RRC接続の前記確立が完了したことを前記第1のRANネットワークエレメントに通知するために使われる、ステップをさらに含む、請求項6または7に記載の方法。
【請求項１０】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第1のRANネットワークエレメントにより、端末から第1の要求メッセージを受信するステップであって、前記第1の要求メッセージは、前記端末と前記RANとの無線リソース制御RRC接続の確立を要求するために使われる、ステップと、
前記第1のRANネットワークエレメントにより、前記端末の前記RRC接続の前記確立のために無線リソースを構成するステップと、
前記第1のRANネットワークエレメントにより、前記第2のRANネットワークエレメントへ第2の要求メッセージを送信するステップであって、前記第2の要求メッセージは、前記端末が前記RANへの前記RRC接続の前記確立を要求していることを前記第2のRANネットワークエレメントに通知するために使われる、ステップと、
前記第1のRANネットワークエレメントにより、前記第2のRANネットワークエレメントから前記第2の要求メッセージの応答メッセージを受信するステップであって、前記第2の要求メッセージの前記応答メッセージは、前記第2のRANネットワークエレメントが前記第2の要求メッセージに基づいて前記RRC接続を確立することを決定する場合に前記第1のRANネットワークエレメントへ送信されるメッセージであり、前記第2の要求メッセージの前記応答メッセージは、前記端末と前記RANとの前記RRC接続を確立することを決定することを前記第1のRANネットワークエレメントに通知するために使われる、ステップと、
前記第1のRANネットワークエレメントにより、前記第2の要求メッセージの前記応答メッセージに基づいて前記端末へ前記第1の要求メッセージの応答メッセージを送信するステップであって、前記第1の要求メッセージの前記応答メッセージは、前記端末と前記RANとの前記RRC接続の前記確立が決定されたことを前記端末に通知するために使われる、ステップと、
前記第1のRANネットワークエレメントにより、前記端末によって送信される第1のRRC接続確立完了メッセージを受信するステップであって、前記第1のRRC接続確立完了メッセージは、前記RRC接続の前記確立が完了したことを前記第1のRANネットワークエレメントに通知するために使われる、ステップとを含む、方法。
【請求項１１】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項10に記載の方法。
【請求項１２】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項10または11に記載の方法。
【請求項１３】
前記第1のRANネットワークエレメントにより、前記端末によって送信される第1のRRC接続確立完了メッセージを受信する前記ステップの後に、前記方法は、
前記第1のRANネットワークエレメントにより、前記第2のRANネットワークエレメントへ第2のRRC接続確立完了メッセージを送信するステップであって、前記第2のRRC接続確立完了メッセージは、前記RRC接続の前記確立が完了したことを前記第2のRANネットワークエレメントに通知するために使われる、ステップをさらに含む、請求項10から12のいずれか一項に記載の方法。
【請求項１４】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第2のRANネットワークエレメントにより、前記第1のRANネットワークエレメントから第2の要求メッセージを受信するステップであって、前記第2の要求メッセージは、端末が前記RANへの無線リソース制御RRC接続の確立を要求していることを前記第2のRANネットワークエレメントに通知するために使われる、ステップと、
前記第2のRANネットワークエレメントにより、前記第2の要求メッセージに基づいて前記RRC接続を確立することを決定するステップであって、前記第2のRANネットワークエレメントは前記端末の前記RRC接続の前記確立のためにリソースを構成する、ステップと、
前記第2のRANネットワークエレメントにより、前記第1のRANネットワークエレメントへ前記第2の要求メッセージの応答メッセージを送信するステップであって、前記第2の要求メッセージの前記応答メッセージは、前記端末と前記RANとの前記RRC接続を確立することを決定することを前記第1のRANネットワークエレメントに通知するために使われる、ステップとを含む、方法。
【請求項１５】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項14に記載の方法。
【請求項１６】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項14または15に記載の方法。
【請求項１７】
前記第2のRANネットワークエレメントにより、前記第1のRANネットワークエレメントへ前記第2の要求メッセージの応答メッセージを送信する前記ステップの後に、前記方法は、
前記第2のRANネットワークエレメントにより、前記第1のRANネットワークエレメントから第2の接続確立完了メッセージを受信するステップであって、第1のRRC接続確立完了メッセージは、前記第1のRANネットワークエレメントが前記第2のRANネットワークエレメントへ前記第2の接続確立完了メッセージを送信する前に前記端末から受信されるメッセージであり、前記第1のRRC接続確立完了メッセージは、前記RRC接続の前記確立が完了したことを前記第1のRANネットワークエレメントに通知するために使われ、第2のRRC接続確立完了メッセージは、前記RRC接続の前記確立が完了したことを前記第2のRANネットワークエレメントに通知するために使われる、ステップをさらに含む、請求項14から16のいずれか一項に記載の方法。
【請求項１８】
第1のRANネットワークエレメントであって、通信システムは無線アクセスネットワークRANを含んでおり、前記RANは前記第1のRANネットワークエレメントと第2のRANネットワークエレメントとを含んでおり、前記第1のRANネットワークエレメントと前記第2のRANネットワークエレメントは相互に接続されており、前記第1のRANネットワークエレメントは、
端末から第1のメッセージを受信するように構成された受信ユニットであって、前記第1のメッセージは、前記端末と前記RANとの無線リソース制御RRC接続の確立を要求するために使われる、受信ユニットと、
前記第1のメッセージに基づいて前記RRC接続を確立することを決定するように構成された処理ユニットと、
前記端末へ前記第1のメッセージの応答メッセージを送信するように構成された送信ユニットであって、前記第1のメッセージの前記応答メッセージは、前記端末と前記RANとの前記RRC接続の前記確立が決定されたことを前記端末に通知するために使われる、送信ユニットとを含み、
前記送信ユニットは、前記第2のRANネットワークエレメントへ第2のメッセージを送信し、前記第2のメッセージは、前記端末の前記RRC接続の前記確立のためにリソースを構成することを前記第2のRANネットワークエレメントに要求するために使われる、ようにさらに構成され、
前記受信ユニットは、前記第2のRANネットワークエレメントから前記第2のメッセージの応答メッセージを受信し、前記第2のメッセージの前記応答メッセージは、前記端末のために前記第2のRANネットワークエレメントによって構成されるリソースパラメータを含んでいる、するようにさらに構成される、第1のRANネットワークエレメント。
【請求項１９】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項18に記載の第1のRANネットワークエレメント。
【請求項２０】
前記送信ユニットが前記端末へ前記第1のメッセージの前記応答メッセージを送信した後に、
前記受信ユニットは前記端末によって送信される第3のメッセージを受信し、前記第3のメッセージは、前記RRC接続の前記確立が完了したことを前記第1のRANネットワークエレメントに通知するために使われる、ようにさらに構成される、請求項18または19に記載の第1のRANネットワークエレメント。
【請求項２１】
前記受信ユニットが前記第3のメッセージを受信した後に、
前記送信ユニットは前記第2のRANネットワークエレメントへ第4のメッセージを送信し、前記第4のメッセージは、前記RRC接続の前記確立が完了したことを前記第2のRANネットワークエレメントに通知するために使われる、ようにさらに構成される、請求項20に記載の第1のRANネットワークエレメント。
【請求項２２】
前記第2のメッセージは前記RRC接続の前記確立が完了したことを前記第2のRANネットワークエレメントに通知するためにさらに使われる、請求項18から20のいずれか一項に記載の第1のRANネットワークエレメント。
【請求項２３】
第2のRANネットワークエレメントであって、通信システムは無線アクセスネットワークRANを含んでおり、前記RANは第1のRANネットワークエレメントと前記第2のRANネットワークエレメントとを含んでおり、前記第1のRANネットワークエレメントと前記第2のRANネットワークエレメントは相互に接続されており、前記第2のRANネットワークエレメントは、
前記第1のRANネットワークエレメントから第2のメッセージを受信するように構成された受信ユニットであって、前記第2のメッセージは、端末のRRC接続の確立のためにリソースを構成することを前記第2のRANネットワークエレメントに要求するために使われる、受信ユニットと、
前記第1のRANネットワークエレメントへ前記第2のメッセージの応答メッセージを送信するように構成された送信ユニットであって、前記第2のメッセージの前記応答メッセージは、前記端末のために前記第2のRANネットワークエレメントによって構成されるリソースパラメータを含んでいる、送信ユニットとを含む、第2のRANネットワークエレメント。
【請求項２４】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項23に記載の第2のRANネットワークエレメント。
【請求項２５】
前記第2のメッセージは前記RRC接続の前記確立が完了したことを前記第2のRANネットワークエレメントに通知するためにさらに使われる、請求項23または24に記載の第2のRANネットワークエレメント。
【請求項２６】
前記受信ユニットは前記第1のRANネットワークエレメントから第4のメッセージを受信し、前記第4のメッセージは、前記RRC接続の前記確立が完了したことを前記第2のRANネットワークエレメントに通知するために使われ、第3のメッセージは、前記第1のRANネットワークエレメントが前記第2のRANネットワークエレメントへ前記第4のメッセージを送信する前に前記端末から前記第1のRANネットワークエレメントによって受信されるメッセージであり、前記第3のメッセージは、前記RRC接続の前記確立が完了したことを前記第1のRANネットワークエレメントに通知するために使われる、ようにさらに構成される、
請求項23または24に記載の第2のRANネットワークエレメント。
【請求項２７】
第1のRANネットワークエレメントであって、通信システムは無線アクセスネットワークRANを含んでおり、前記RANは前記第1のRANネットワークエレメントと第2のRANネットワークエレメントとを含んでおり、前記第1のRANネットワークエレメントと前記第2のRANネットワークエレメントは相互に接続されており、前記第1のRANネットワークエレメントは、
端末から第1の要求メッセージを受信するように構成された受信ユニットであって、前記第1の要求メッセージは、前記端末と前記RANとの無線リソース制御RRC接続の確立を要求するために使われる、受信ユニットと、
前記端末の前記RRC接続の前記確立のためにリソースを構成するように構成された処理ユニットと、
前記第2のRANネットワークエレメントへ第2の要求メッセージを送信するように構成された送信ユニットであって、前記第2の要求メッセージは、前記端末が前記RANへの前記RRC接続の前記確立を要求していることを前記第2のRANネットワークエレメントに通知するために使われる、送信ユニットとを含み、
前記受信ユニットは前記第2のRANネットワークエレメントから前記第2の要求メッセージの応答メッセージを受信し、前記第2の要求メッセージの前記応答メッセージは、前記端末と前記RANとの前記RRC接続を確立することを決定することを前記第1のRANネットワークエレメントに通知するために使われる、ようにさらに構成され、
前記送信ユニットは前記第2の要求メッセージの前記応答メッセージに基づいて前記端末へ第1の要求メッセージの応答メッセージを送信し、前記第1の要求メッセージの前記応答メッセージは、前記端末と前記RANとの前記RRC接続の前記確立が決定されたことを前記端末に通知するために使われる、ようにさらに構成され、
前記受信ユニットは前記端末によって送信される第1のRRC接続確立完了メッセージを受信するようにさらに構成される、第1のRANネットワークエレメント。
【請求項２８】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項27に記載の第1のRANネットワークエレメント。
【請求項２９】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項27または28に記載の第1のRANネットワークエレメント。
【請求項３０】
前記送信ユニットは前記第2のRANネットワークエレメントへ第2のRRC接続確立完了メッセージを送信し、前記第2のRRC接続確立完了メッセージは、前記RRC接続の前記確立が完了したことを前記第2のRANネットワークエレメントに通知するために使われる、ようにさらに構成される、
請求項27から29のいずれか一項に記載の第1のRANネットワークエレメント。
【請求項３１】
第2のRANネットワークエレメントであって、通信システムは無線アクセスネットワークRANを含んでおり、前記RANは第1のRANネットワークエレメントと前記第2のRANネットワークエレメントとを含んでおり、前記第1のRANネットワークエレメントと前記第2のRANネットワークエレメントは相互に接続されており、前記第2のRANネットワークエレメントは、
前記第1のRANネットワークエレメントから第2の要求メッセージを受信するように構成された受信ユニットであって、前記第2の要求メッセージは、端末が前記RANへのRRC接続の確立を要求していることを前記第2のRANネットワークエレメントに通知するために使われる、受信ユニットと、
前記第2のRANネットワークエレメントのために、前記端末の前記RRC接続の前記確立のためにリソースを構成するように構成された処理ユニットと、
前記第1のRANネットワークエレメントへ前記第2の要求メッセージの応答メッセージを送信するように構成された送信ユニットであって、前記第2の要求メッセージの前記応答メッセージは、前記端末と前記RANとの前記RRC接続を確立することを決定することを前記第1のRANネットワークエレメントに通知するために使われる、送信ユニットとを含む、第2のRANネットワークエレメント。
【請求項３２】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項31に記載の第2のRANネットワークエレメント。
【請求項３３】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項31または32に記載の第2のRANネットワークエレメント。
【請求項３４】
前記受信ユニットは前記第1のRANネットワークエレメントから第2の接続確立完了メッセージを受信し、第1のRRC接続確立完了メッセージは、前記第1のRANネットワークエレメントが前記第2のRANネットワークエレメントへ前記第2の接続確立完了メッセージを送信する前に前記端末から受信されるメッセージであり、前記第1のRRC接続確立完了メッセージは、前記RRC接続の前記確立が完了したことを前記第1のRANネットワークエレメントに通知するために使われ、第2のRRC接続確立完了メッセージは、前記RRC接続の前記確立が完了したことを前記第2のRANネットワークエレメントに通知するために使われる、ようにさらに構成される、
請求項31から32のいずれか一項に記載の第2のRANネットワークエレメント。
【請求項３５】
通信システムであって、前記通信システムは無線アクセスネットワークRANを含んでおり、前記RANは請求項18から22のいずれか一項に記載の第1のRANネットワークエレメントと請求項23から26のいずれか一項に記載の第2のRANネットワークエレメントとを含んでおり、前記第1のRANネットワークエレメントと前記第2のRANネットワークエレメントは相互に接続されている、通信システム。
【請求項３６】
通信システムであって、前記通信システムは無線アクセスネットワークRANを含んでおり、前記RANは請求項27から30のいずれか一項に記載の第1のRANネットワークエレメントと請求項31から34のいずれか一項に記載の第2のRANネットワークエレメントとを含んでおり、前記第1のRANネットワークエレメントと前記第2のRANネットワークエレメントは相互に接続されている、通信システム。
【発明の詳細な説明】
【技術分野】
【０００１】
本願の実施形態は通信分野に関し、具体的には通信方法、装置、およびシステムに関する。
【背景技術】
【０００２】
クラウド無線アクセスネットワーク（Cloud Radio Access Network、CloudRAN）はクラウド技術を使ったRANの再構成を通じて得られる新しい無線ネットワークアーキテクチャである。CloudRANはRANコンバージェンスユニット（RAN Convergence Unit、RANCU）とRANディストリビューションユニット（RAN Distribution Unit、RANDU）とを含んでいる。現在、端末とクラウド無線アクセスネットワークとの間に無線リソース制御（radio resource control、RRC）接続を確立する方法はない。
【発明の概要】
【課題を解決するための手段】
【０００３】
本願の実施形態は、端末とRANとの間にRRC接続を確立できるようにするため、通信方法、装置、およびシステムを提供する。
【０００４】
本願の実施形態の第1の態様は通信方法を提供し、該通信方法は通信システムで使われる。通信システムはRANを含んでおり、例えばCloudRANを含んでいる。RANは第1のRANネットワークエレメントと第2のRANネットワークエレメントとを含んでおり、第1のRANネットワークエレメントと第2のRANネットワークエレメントは相互に接続されている。方法は、端末から第1のメッセージを受信した後に、第1のRANネットワークエレメントにより、RRC接続を確立することを決定するステップであって、第1のメッセージは、端末とRANとのRRC接続を確立することを第1のRANネットワークエレメントに要求するために使われる、ステップと、第1のRANネットワークエレメントにより、端末へ第1のメッセージの応答メッセージを送信するステップであって、第1のメッセージの応答メッセージは、端末とRANとのRRC接続の確立が決定されたことを端末に通知するために使われる、ステップと、端末のRRC接続の確立のためにリソースを構成することを第2のRANネットワークエレメントに要求するため、第1のRANネットワークエレメントにより、第2のRANネットワークエレメントへ第2のメッセージを送信するステップと、第1のRANネットワークエレメントにより、第2のRANネットワークエレメントから第2のメッセージの応答メッセージを受信するステップであって、第2のメッセージの応答メッセージは、端末のために第2のRANネットワークエレメントによって構成されるリソースパラメータを含んでいる、ステップとを含む。
【０００５】
第1のネットワークエレメントは、第1のメッセージに基づいてRRC接続を確立することを決定するときに、端末へ第1のメッセージの応答メッセージを送信する。任意に選べることとして、第1のRANネットワークエレメントは、第1のメッセージに基づいてRRC接続を確立することを決定した後に、端末へ第1のメッセージの応答メッセージを送信する。第1のメッセージの応答メッセージが送信される具体的な時間は本願で限定されない。
【０００６】
本願の実施形態で提供される端末とRANとのRRC接続確立プロセスが第1のRRC接続確立と第2のRRC接続確立とを含み、第1のRRC接続確立が端末と第1のRANネットワークエレメントとの無線RRC接続であり、第2のRRC接続確立が第1のRANネットワークエレメントと第2のRANネットワークエレメントとの無線または有線RRC接続であることが理解できる。したがって、第1のRANネットワークエレメントは端末とRANとのRRC接続の確立が許可されると判断し、第2のRANネットワークエレメントは、端末とRANとのRRC接続を確立するため、端末とRANとのRRC接続の確立のためにリソースを構成する。
【０００７】
端末とRANとのRRC接続を確立するため、第1の態様を参照し、可能な一実装において、第2のメッセージは第1の識別子を含んでおり、第1の識別子は第1のRANネットワークエレメントによって割り当てられ、第1のRANネットワークエレメントの範囲内で端末を識別するために使われ、あるいは第2のメッセージの応答メッセージは第1の識別子と第2の識別子とを含んでおり、第2の識別子は第2のRANネットワークエレメントによって割り当てられ、第2のRANネットワークエレメントの範囲内で端末を識別するために使われる。したがって、第1のRANネットワークエレメントと第2のRANネットワークエレメントは、端末とRANとのRRC接続確立プロセスの確立を実現するため、第1の識別子と第2の識別子とに基づいて、端末のために第1のRANネットワークエレメントと第2のRANネットワークエレメントとRANとの間にリンクを確立する。前述した可能な一実装を参照し、別の可能な一実装において、第1のRANネットワークエレメントは端末によって送信される第3のメッセージを受信し、第3のメッセージは、RRC接続の確立が完了したことを第1のRANネットワークエレメントに通知するために使われる。したがって、第1のRANネットワークエレメントは、第3のメッセージを受信した後に、端末とRANとのRRC接続の確立が完了したことを知ることができる。
【０００８】
前述した可能な実装を参照し、別の可能な一実装において、第2のメッセージはRRC接続の確立が完了したことを第2のネットワークエレメントに通知するためにさらに使われてよい。
【０００９】
例えば、第1の要求メッセージは第1のRRC接続確立要求メッセージであり、第1のメッセージの応答メッセージは第1のRRC接続確立メッセージであり、第3のメッセージは第1のRRC接続確立完了メッセージであり、第2のメッセージは第2のRRC接続確立完了メッセージである。第1のRANネットワークエレメントによって端末に割り当てられる無線リソースの関連情報（例えば第1の識別子）を含む第2のメッセージが、第2のRANネットワークエレメントに通知するために第1のRANネットワークエレメントによって使われる第2のRRC接続確立完了メッセージであってよく、したがって、端末とRANとのRRC接続の確立が実行されるときにシグナリングを節約できることを理解できる。加えて、接続リンクを確立する遅延も効果的に低減できる。
【００１０】
前述した可能な実装を参照し、別の可能な一実装において、第1のRANネットワークエレメントは第2のRANネットワークエレメントへ第4のメッセージを送信し、第4のメッセージは、RRC接続の確立が完了したことを第2のRANネットワークエレメントに通知するために使われる。したがって、第2のRANネットワークエレメントは、第4のメッセージを受信した後に、端末とRANとのRRC接続の確立が完了したことを知り、その後端末は引き続きコンテクスト確立などの別の通信を遂行できる。
【００１１】
例えば、第1の要求メッセージは第1のRRC接続確立要求メッセージであり、第1のメッセージの応答メッセージは第1のRRC接続確立メッセージであり、第3のメッセージは第1のRRC接続確立完了メッセージであり、第2のメッセージは第2のRRC接続確立要求メッセージか第2のRRC接続確立メッセージであり、第4のメッセージは第2のRRC接続確立完了メッセージである。第1のRANネットワークエレメントによって端末に割り当てられる無線リソースの関連情報（例えば第1の識別子）を含む第2のメッセージがさらに、第2のRRC接続確立要求メッセージか第2のRRC接続確立メッセージであってよく、したがって、端末とRANとのRRC接続の確立が実行されるときにシグナリングを節約できることを理解できる。接続リンクを確立する遅延も効果的に低減される。加えて、第1のRANネットワークエレメントと端末との確立プロセスと第1のRANネットワークエレメントと第2のRANネットワークエレメントとの確立プロセスはさらに、同時に、または交互に、遂行されてよいため、端末とRANとの間でRRC接続の確立が実行されるときには、確立の遅延をより効果的に低減できる。
【００１２】
本願の実施形態の第2の態様は通信方法を提供し、該通信方法は通信システムで使われる。通信システムはRANを含んでいる。RANは第1のRANネットワークエレメントと第2のRANネットワークエレメントとを含んでおり、第1のRANネットワークエレメントと第2のRANネットワークエレメントは相互に接続されている。方法は、第2のRANネットワークエレメントにより、第1のRANネットワークエレメントから第2のメッセージを受信するステップであって、第2のメッセージは、端末のRRC接続の確立のためにリソースを構成することを第2のRANネットワークエレメントに要求するために使われ、第1のメッセージは、第1のRANネットワークエレメントが第2のRANネットワークエレメントへ第2のメッセージを送信する前に端末から第1のRANネットワークエレメントによって受信されるメッセージであり、第1のメッセージは、端末とRANとのRRC接続の確立を要求するために使われる、ステップと、第2のRANネットワークエレメントにより、第1のRANネットワークエレメントへ第2のメッセージの応答メッセージを送信するステップであって、第2のメッセージの応答メッセージは、端末のために第2のRANネットワークエレメントによって構成されるリソースパラメータを含んでいる、ステップとを含む。本願の実施形態で提供される端末とRANとのRRC接続確立プロセスが第1のRRC接続確立と第2のRRC接続確立とを含み、第1のRRC接続確立が端末と第1のRANネットワークエレメントとの無線RRC接続であり、第2のRRC接続確立が第1のRANネットワークエレメントと第2のRANネットワークエレメントとの無線または有線RRC接続であることが理解できる。したがって、第1のRANネットワークエレメントは端末とRANとのRRC接続の確立が許可されると判断し、第2のRANネットワークエレメントは、端末とRANとのRRC接続を確立するため、端末とRANとのRRC接続の確立のためにリソースを構成する。
【００１３】
第2の態様を参照し、可能な一実装において、第2のメッセージは第1の識別子を含んでおり、第1の識別子は第1のRANネットワークエレメントによって割り当てられ、第1のRANネットワークエレメントの範囲内で端末を識別するために使われ、あるいは第2のメッセージの応答メッセージは第1の識別子と第2の識別子とを含んでおり、第2の識別子は第2のRANネットワークエレメントによって割り当てられ、第2のRANネットワークエレメントの範囲内で端末を識別するために使われる。したがって、第1のRANネットワークエレメントと第2のRANネットワークエレメントは、端末とRANとのRRC接続確立プロセスを実現するため、第1の識別子と第2の識別子とに基づいて、端末のために第1のRANネットワークエレメントと第2のRANネットワークエレメントとRANとの間にリンクを確立する。
【００１４】
前述した可能な一実装を参照し、別の可能な一実装において、第2のRANネットワークエレメントは第1のRANネットワークエレメントから第4のメッセージを受信し、第4のメッセージは、RRC接続の確立が完了したことを第2のRANネットワークエレメントに通知するために使われ、第3のメッセージは、第1のRANネットワークエレメントが第2のRANネットワークエレメントへ第4のメッセージを送信する前に端末から第1のRANネットワークエレメントによって受信されるメッセージであり、第3のメッセージは、RRC接続の確立が完了したことを第1のRANネットワークエレメントに通知するために使われる。したがって、第1のRANネットワークエレメントは、第3のメッセージを受信した後に、端末とRANとのRRC接続の確立が完了したことを知る。第2のRANネットワークエレメントは、第4のメッセージを受信した後に、RRC接続の確立が完了したことを知る。この場合、端末は、端末とRANとのRRC接続の確立が完了した後に、引き続きコンテクスト確立などの別の通信を遂行できる。
【００１５】
本願の実施形態の第3の態様は通信方法を提供し、該通信方法は通信システムで使われる。通信システムは無線アクセスネットワークRANを含んでいる。RANは第1のRANネットワークエレメントと第2のRANネットワークエレメントとを含んでおり、第1のRANネットワークエレメントと第2のRANネットワークエレメントは相互に接続されている。方法は、端末により、第1のRANネットワークエレメントへ第1のメッセージを送信するステップであって、第1のメッセージは、端末とRANとのRRC接続の確立を要求するために使われる、ステップと、端末により、第1のRANネットワークエレメントから第1のメッセージの応答メッセージを受信するステップであって、第1のメッセージの応答メッセージは、端末とRANとのRRC接続の確立が決定されたことを端末に通知するために使われる、ステップとを含む。したがって、端末は、端末とRANとのRRC接続の確立を要求するために使われる第1のメッセージを第1のRANネットワークエレメントへ送信し、第1のRANネットワークエレメントは、端末とRANとのRRC接続を確立するため、端末とRANとのRRC接続の確立が許可されると判断する。
【００１６】
第3の態様を参照し、可能な一実装において、端末により、第1のRANネットワークエレメントから第1のメッセージの応答メッセージを受信するステップの後に、方法は、端末により、第1のRANネットワークエレメントへ第3のメッセージを送信するステップであって、第3のメッセージは、RRC接続の確立が完了したことを第1のRANネットワークエレメントに通知するために使われ、第2のメッセージは、第1のRANネットワークエレメントがRRC接続を確立することを決定する場合に第1のRANネットワークエレメントによって第2のRANネットワークエレメントへ送信されるメッセージである、ステップをさらに含む。したがって、第1のRANネットワークエレメントは、第3のメッセージを受信した後に、端末とRANとのRRC接続の確立が完了したことを知る。
【００１７】
本願の実施形態の第4の態様は通信方法を提供し、該通信方法は通信システムで使われる。通信システムは無線アクセスネットワークRANを含んでいる。RANは第1のRANネットワークエレメントと第2のRANネットワークエレメントとを含んでおり、第1のRANネットワークエレメントと第2のRANネットワークエレメントは相互に接続されている。方法は、第1のRANネットワークエレメントにより、端末から第1の要求メッセージを受信するステップであって、第1の要求メッセージは、端末とRANとのRRC接続の確立を要求するために使われる、ステップと、第1のRANネットワークエレメントにより、端末のRRC接続の確立のために無線リソースを構成するステップと、第1のRANネットワークエレメントにより、第2のRANネットワークエレメントへ第2の要求メッセージを送信するステップであって、第2の要求メッセージは、端末がRANへのRRC接続の確立を要求していることを第2のRANネットワークエレメントに通知するために使われる、ステップと、第1のRANネットワークエレメントにより、第2のRANネットワークエレメントから第2の要求メッセージの応答メッセージを受信するステップであって、第2の要求メッセージの応答メッセージは、端末とRANとのRRC接続を確立することを決定することを第1のRANネットワークエレメントに通知するために使われる、ステップと、第1のRANネットワークエレメントにより、第2の要求メッセージの応答メッセージに基づいて端末へ第1の要求メッセージの応答メッセージを送信するステップであって、第1の要求の応答メッセージは、端末とRANとのRRC接続の確立が決定されたことを端末に通知するために使われる、ステップと、第1のRANネットワークエレメントにより、端末によって送信される第1のRRC接続確立完了メッセージを受信するステップであって、第1のRRC接続確立完了メッセージは、RRC接続の確立が完了したことを第1のRANネットワークエレメントに通知するために使われる、ステップとを含む。
【００１８】
任意に選べることとして、第1のRANネットワークエレメントは、第1の要求メッセージに基づいてRRC接続を確立することを決定した後に、端末のRRC接続の確立のために無線リソースを構成する。無線リソースが構成される具体的な時間は本願で限定されない。
【００１９】
任意に選べることとして、第1のRANネットワークエレメントは、第1の要求メッセージに基づいてRRC接続を確立することを決定した後に、第2のRANネットワークエレメントへ第2の要求メッセージを送信する。第2の要求メッセージが送信される具体的な時間は本願で限定されない。
【００２０】
本願の実施形態で提供される端末とRANとのRRC接続確立プロセスが第1のRRC接続確立と第2のRRC接続確立とを含み、第1のRRC接続確立が端末と第1のRANネットワークエレメントとの無線RRC接続であり、第2のRRC接続確立が第1のRANネットワークエレメントと第2のRANネットワークエレメントとの無線または有線RRC接続であることが理解できる。端末は、端末とRANとのRRC接続の確立を要求するために使われる第1の要求メッセージを第1のRANネットワークエレメントへ送信し、第1のRANネットワークエレメントは、端末とRANとのRRC接続の確立を要求するために使われる第2の要求メッセージを第2のRANネットワークエレメントへ送信し、第1のRANネットワークエレメントと第2のRANネットワークエレメントは、端末とRANとのRRC接続を確立するため、端末とRANとのRRC接続の確立を許可することを共同で決定する。
【００２１】
端末とRANとのRRC接続を確立するため、第4の態様を参照し、可能な一実装において、第2の要求メッセージは第1の識別子を携えており、第1の識別子は第1のRANネットワークエレメントによって割り当てられ、第1のRANネットワークエレメントの範囲内で端末を識別するために使われる。
【００２２】
前述した可能な一実装を参照し、別の可能な一実装において、第2の要求メッセージの応答メッセージは第1の識別子と第2の識別子とを携えており、第2の識別子は第2のRANネットワークエレメントによって割り当てられ、第2のRANネットワークエレメントの範囲内で端末を識別するために使われる。したがって、第1のRANネットワークエレメントと第2のRANネットワークエレメントは、端末とRANとのRRC接続確立プロセスを実現するため、第1の識別子と第2の識別子とに基づいて、端末のために第1のRANネットワークエレメントと第2のRANネットワークエレメントとRANとの間にリンクを確立する。
【００２３】
前述した可能な実装を参照し、別の可能な一実装において、第1のRANネットワークエレメントにより、端末によって送信される第1のRRC接続確立完了メッセージを受信するステップの後に、方法は、第1のRANネットワークエレメントにより、第2のRANネットワークエレメントへ第2のRRC接続確立完了メッセージを送信するステップであって、第2のRRC接続確立完了メッセージは、RRC接続の確立が完了したことを第2のRANネットワークエレメントに通知するために使われる、ステップをさらに含む。したがって、第2のRANネットワークエレメントは、第2のRRC接続確立完了メッセージを受信した後に、端末とRANとのRRC接続の確立が完了したことを知り、その後端末は引き続きコンテクスト確立などの別の通信を遂行できる。
【００２４】
本願の実施形態の第5の態様は通信方法を提供し、該通信方法は通信システムで使われる。通信システムは無線アクセスネットワークRANを含んでいる。RANは第1のRANネットワークエレメントと第2のRANネットワークエレメントとを含んでおり、第1のRANネットワークエレメントと第2のRANネットワークエレメントは相互に接続されている。方法は、第2のRANネットワークエレメントにより、第1のRANネットワークエレメントから第2の要求メッセージを受信するステップであって、第2の要求メッセージは、端末がRANへのRRC接続の確立を要求していることを第2のRANネットワークエレメントに通知するために使われ、第1の要求メッセージは、第1のRANネットワークエレメントが第2のRANネットワークエレメントへ第2の要求メッセージを送信する前に端末から第1のRANネットワークエレメントによって受信されるメッセージであり、第1の要求メッセージは、端末とRANとのRRC接続の確立を要求するために使われる、ステップと、第2のRANネットワークエレメントにより、端末のRRC接続の確立のためにリソースを構成するステップと、第2のRANネットワークエレメントにより、第1のRANネットワークエレメントへ第2の要求メッセージの応答メッセージを送信するステップであって、第2の要求メッセージの応答メッセージは、端末とRANとのRRC接続を確立することを決定することを第1のRANネットワークエレメントに通知するために使われる、ステップとを含む。
【００２５】
本願の実施形態で提供される端末とRANとのRRC接続確立プロセスが第1のRRC接続確立と第2のRRC接続確立とを含み、第1のRRC接続確立が端末と第1のRANネットワークエレメントとの無線RRC接続であり、第2のRRC接続確立が第1のRANネットワークエレメントと第2のRANネットワークエレメントとの無線または有線RRC接続であることが理解できる。端末は、端末とRANとのRRC接続の確立を要求するために使われる第1の要求メッセージを第1のRANネットワークエレメントへ送信し、第1のRANネットワークエレメントは、端末とRANとのRRC接続の確立を要求するために使われる第2の要求メッセージを第2のRANネットワークエレメントへ送信し、第1のRANネットワークエレメントと第2のRANネットワークエレメントは、端末とRANとのRRC接続を確立するため、端末とRANとのRRC接続の確立を許可することを共同で決定する。
【００２６】
端末とRANとのRRC接続を確立するため、第5の態様を参照し、可能な一実装において、第2の要求メッセージは第1の識別子を含んでおり、第1の識別子は第1のRANネットワークエレメントによって割り当てられ、第1のRANネットワークエレメントの範囲内で端末を識別するために使われる。
【００２７】
前述した可能な一実装を参照し、別の可能な一実装において、第2の要求メッセージの応答メッセージは第1の識別子と第2の識別子とを含んでおり、第2の識別子は第2のRANネットワークエレメントによって割り当てられ、第2のRANネットワークエレメントの範囲内で端末を識別するために使われる。したがって、第1のRANネットワークエレメントと第2のRANネットワークエレメントは、端末とRANとのRRC接続確立プロセスを実現するため、第1の識別子と第2の識別子とに基づいて、端末のために第1のRANネットワークエレメントと第2のRANネットワークエレメントとRANとの間にリンクを確立する。
【００２８】
前述した可能な実装を参照し、別の可能な一実装において、第2のRANネットワークエレメントにより、第1のRANネットワークエレメントへ第2の要求メッセージの応答メッセージを送信するステップの後に、方法は、第2のRANネットワークエレメントにより、第1のRANネットワークエレメントから第2の接続確立完了メッセージを受信するステップであって、第1のRRC接続確立完了メッセージは、第1のRANネットワークエレメントが第2のRANネットワークエレメントへ第2の接続確立完了メッセージを送信する前に端末から第1のRANネットワークエレメントによって受信されるメッセージであり、第1のRRC接続確立完了メッセージは、RRC接続の確立が完了したことを第1のRANネットワークエレメントに通知するために使われ、第2のRRC接続確立完了メッセージは、RRC接続の確立が完了したことを第2のRANネットワークエレメントに通知するために使われる、ステップをさらに含む。したがって、第2のRANネットワークエレメントは、第2のRRC接続確立完了メッセージを受信した後に、端末とRANとのRRC接続の確立が完了したことを知ることができ、その後端末は引き続きコンテクスト確立などの別の通信を遂行できる。
【００２９】
本願の実施形態の第6の態様は通信方法を提供し、該通信方法は通信システムで使われる。通信システムは無線アクセスネットワークRANを含んでいる。RANは第1のRANネットワークエレメントと第2のRANネットワークエレメントとを含んでおり、第1のRANネットワークエレメントと第2のRANネットワークエレメントは相互に接続されている。方法は、端末により、第1のRANネットワークエレメントへ第1の要求メッセージを送信するステップであって、第1の要求メッセージは、端末とRANとのRRC接続の確立を要求するために使われる、ステップと、端末により、第1のRANネットワークエレメントから第1の要求メッセージの応答メッセージを受信するステップであって、第1の要求メッセージの応答メッセージは、端末とRANとのRRC接続の確立が決定されたことを端末に通知するために使われる、ステップと、端末により、第1のRANネットワークエレメントへ第1のRRC接続確立完了メッセージを送信するステップであって、第1のRRC接続確立完了メッセージは、RRC接続の確立が完了したことを第1のRANネットワークエレメントに通知するために使われる、ステップとを含む。したがって、端末は、端末とRANとのRRC接続の確立を要求するために使われる第1の要求メッセージを第1のRANネットワークエレメントへ送信し、第1のRANネットワークエレメントと第2のRANネットワークエレメントは、端末とRANとのRRC接続を確立するため、端末とRANとのRRC接続の確立が許可されることを共同で判断する。
【００３０】
本願の実施形態の第7の態様は第1のRANネットワークエレメントを提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。第1のRANネットワークエレメントは、端末から第1のメッセージを受信するように構成された受信ユニットであって、第1のメッセージは、端末とRANとのRRC接続の確立を要求するために使われる、受信ユニットと、第1のメッセージに基づいてRRC接続を確立することを決定するように構成された処理ユニットと、端末へ第1のメッセージの応答メッセージを送信するように構成された送信ユニットであって、第1のメッセージの応答メッセージは、端末とRANとのRRC接続の確立が決定されたことを端末に通知するために使われる、送信ユニットとを含む。送信ユニットは、第2のRANネットワークエレメントへ第2のメッセージを送信するようにさらに構成され、第2のメッセージは、端末のRRC接続の確立のためにリソースを構成することを第2のRANネットワークエレメントに要求するために使われ、受信ユニットは、第2のRANネットワークエレメントから第2のメッセージの応答メッセージを受信するようにさらに構成され、第2のメッセージの応答メッセージは、端末のために第2のRANネットワークエレメントによって構成されるリソースパラメータを含んでいる。
【００３１】
本願の実施形態の第8の態様は第2のRANネットワークエレメントを提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。第2のRANネットワークエレメントは、第1のRANネットワークエレメントから第2のメッセージを受信するように構成された受信ユニットであって、第2のメッセージは、端末のRRC接続の確立のためにリソースを構成することを第2のRANネットワークエレメントに要求するために使われる、受信ユニットと、第1のRANネットワークエレメントへ第2のメッセージの応答メッセージを送信するように構成された送信ユニットであって、第2のメッセージの応答メッセージは、端末のために第2のRANネットワークエレメントによって構成されるリソースパラメータを含んでいる、送信ユニットとを含む。
【００３２】
本願の実施形態の第9の態様は端末を提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。端末は、第1のRANネットワークエレメントへ第1のメッセージを送信するように構成された送信ユニットであって、第1のメッセージは端末とRANとのRRC接続の確立を要求するために使われる、送信ユニットと、第1のRANネットワークエレメントから第1のメッセージの応答メッセージを受信するように構成された受信ユニットであって、第1のメッセージの応答メッセージは、端末とRANとのRRC接続の確立が決定されたことを端末に通知するために使われる、受信ユニットとを含む。
【００３３】
本願の実施形態の第10の態様は第1のRANネットワークエレメントを提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。第1のRANネットワークエレメントは、端末から第1の要求メッセージを受信するように構成された受信ユニットであって、第1の要求メッセージは、端末とRANとのRRC接続の確立を要求するために使われる、受信ユニットと、端末のRRC接続の確立のためにリソースを構成するように構成された処理ユニットと、第2のRANネットワークエレメントへ第2の要求メッセージを送信するように構成された送信ユニットであって、第2の要求メッセージは、端末がRANへのRRC接続の確立を要求していることを第2のRANネットワークエレメントに通知するために使われる、送信ユニットとを含む。受信ユニットは第2のRANネットワークエレメントから第2の要求メッセージの応答メッセージを受信し、第2の要求メッセージの応答メッセージは、端末とRANとのRRC接続を確立することを決定することを第1のRANネットワークエレメントに通知するために使われる、ようにさらに構成され、送信ユニットは第2の要求メッセージの応答メッセージに基づいて端末へ第1の要求メッセージの応答メッセージを送信し、第1の要求の応答メッセージは、端末とRANとのRRC接続の確立が決定されたことを端末に通知するために使われる、ようにさらに構成され、受信ユニットは端末によって送信される第1のRRC接続確立完了メッセージを受信するようにさらに構成される。
【００３４】
本願の実施形態の第11の態様は第2のRANネットワークエレメントを提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。第2のRANネットワークエレメントは、第1のRANネットワークエレメントから第2の要求メッセージを受信するように構成された受信ユニットであって、第2の要求メッセージは、端末がRANへのRRC接続の確立を要求していることを第2のRANネットワークエレメントに通知するために使われる、受信ユニットと、端末のRRC接続の確立のためにリソースを構成するように構成された処理ユニットと、第1のRANネットワークエレメントへ第2の要求メッセージの応答メッセージを送信するように構成された送信ユニットであって、第2の要求メッセージの応答メッセージは、端末とRANとのRRC接続を確立することを決定することを第1のRANネットワークエレメントに通知するために使われる、送信ユニットとを含む。
【００３５】
本願の実施形態の第12の態様は端末を提供する。通信システムは無線アクセスネットワークRANを含んでおり、RANは第1のRANネットワークエレメントと第2のRANネットワークエレメントとを含んでおり、第1のRANネットワークエレメントと第2のRANネットワークエレメントは相互に接続されている。端末は、第1のRANネットワークエレメントへ第1の要求メッセージを送信するように構成された送信ユニットであって、第1の要求メッセージは、端末とRANとのRRC接続の確立を要求するために使われる、送信ユニットと、第1のRANネットワークエレメントから第1の要求メッセージの応答メッセージを受信するように構成された受信ユニットであって、第1の要求の応答メッセージは、端末とRANとのRRC接続の確立が決定されたことを端末に通知するために使われる、受信ユニットとを含む。送信ユニットは第1のRANネットワークエレメントへ第1のRRC接続確立完了メッセージを送信するようにさらに構成される。
【００３６】
なお、第7の態様から第12の態様の機能ユニットは、ハードウェアによって、またはハードウェアによって対応するソフトウェアを実行することによって、実施され得る。ハードウェアまたはソフトウェアは機能に対応する1つ以上のモジュールを含んでいる。例えば、トランシーバは受信ユニットと送信ユニットの機能を完遂するように構成され、プロセッサは処理ユニットの機能を完遂するように構成され、メモリは本願の実施形態の通信方法のプログラム命令を処理するように構成される。プロセッサとトランシーバとメモリはバスを使って接続され、互いに通信する。具体的には、第1の態様と第4の態様で提供される通信方法による第1のRANネットワークエレメントの動作の機能、第2の態様と第5の態様で提供される通信方法による第2のRANネットワークエレメントの動作の機能、ならびに第3の態様と第6の態様で提供される通信方法による端末の動作の機能を参照できる。
【００３７】
第13の態様によると、本願の一実施形態は、プロセッサと、メモリと、バスと、通信インターフェースとを含むコンピュータデバイスを提供し、メモリはコンピュータ実行可能命令を保管するように構成され、プロセッサとメモリはバスを使って接続され、コンピュータデバイスが稼働されると、プロセッサはメモリに保管されたコンピュータ実行可能命令を実行し、コンピュータデバイスは前述した態様のいずれかの方法を遂行する。
【００３８】
第14の態様によると、本願の一実施形態は、前述した方法に使われるコンピュータソフトウェア命令を保管するように構成されたコンピュータ可読記憶媒体を提供する。コンピュータでコンピュータソフトウェア命令が実行されると、コンピュータは前述した態様のいずれか1つの方法を遂行する。
【００３９】
第15の態様によると、本願の一実施形態は、命令を含むコンピュータプログラム製品を提供する。コンピュータで命令が実行されると、コンピュータは前述した態様のいずれか1つの方法を遂行する。
【００４０】
加えて、第7の態様から第15の態様の設計方式によってもたらされる技術的効果については、第1の態様から第6の態様の異なる設計方式によってもたらされる技術的効果を参照されたい。ここでは詳細を繰り返し説明しない。
【００４１】
本願の実施形態で、第1のRANネットワークエレメントと第2のRANネットワークエレメントと端末の名称はデバイスそのものを限定するものではない。実際の実装ではこれらのデバイスが別の名称を持ち得る。各デバイスの機能は本願の実施形態のそれと同様であり、本願の請求項とこれと同等の技術の範囲内にある。
【００４２】
これらの態様と本願の実施形態の他の態様は、以下の実施形態の説明でより明確で理解しやすくなる。
【図面の簡単な説明】
【００４３】
【図１】本願の一実施形態によるシステムのアーキテクチャ図である。
【図２】本願の一実施形態によるコンピュータデバイスの概略構造図である。
【図３】本願の一実施形態による通信方法の流れ図である。
【図４】本願の一実施形態による別の通信方法の流れ図である。
【図５】本願の一実施形態による別の通信方法の流れ図である。
【図６】本願の一実施形態による別の通信方法の流れ図である。
【図７】本願の一実施形態による第1のRANネットワークエレメントの概略構造図である。
【図８】本願の一実施形態による別の第1のRANネットワークエレメントの概略構造図である。
【図９】本願の一実施形態による第2のRANネットワークエレメントの概略構造図である。
【図１０】本願の一実施形態による別の第2のRANネットワークエレメントの概略構造図である。
【発明を実施するための形態】
【００４４】
本願の明細書と請求項と添付の図面で用語「第1」、「第2」、「第3」、「第4」など（存在する場合）は同様の物を区別することを意図しており、必ずしも特定の順序や順番を示すものではない。そのように呼ばれるデータは適切な状況で交換可能であるため、ここで説明されている本願の実施形態がここで例証または説明されている順序以外の順序で実施できることを理解されたい。さらに、用語「含む」、「備える」ならびにその他の変形は非排他的な包含を網羅することを意味しており、例えば、列挙されたステップまたはユニットを含むプロセス、方法、システム、製品、またはデバイスは、必ずしも明示的に列挙されたステップまたはユニットに限定されず、明示的に列挙されていない他のステップまたはユニットをも、あるいはかかるプロセス、方法、システム、製品、またはデバイスに特有の他のステップまたはユニットをも、含み得る。
【００４５】
これ以降は添付の図面を参照しながら本願の実施形態の実装を詳しく説明する。
【００４６】
図1は本願の一実施形態を応用できるシステムアーキテクチャの簡素化された概略図である。図1に示されているように、システムアーキテクチャは、端末11と、第1のRANネットワークエレメント12と、第2のRANネットワークエレメント13と、コアネットワークデバイス14とを含み得る。図1に示されているように、図の無線アクセスネットワークは第1のRANネットワークエレメント12と第2のRANネットワークエレメント13とを含んでおり、本願の本実施形態におけるRANはCloudRANであってよい。
【００４７】
端末11はユーザーに音声および／またはデータ接続を提供するデバイス（device）である。端末11は、無線接続機能を有する手持ち型デバイス、無線モデムへ接続された他の処理デバイス、または無線アクセスネットワークを使って1つ以上のネットワークと通信するモバイル端末であってよい。例えば、端末は携帯電話機（「セルラー」フォンとも呼ばれる）やモバイル端末を有するコンピュータであってよい。別の一例として、端末11は、ポータブル、ポケットサイズ、手持ち型、コンピュータ内蔵、または車載モバイル装置であってもよい。端末11は無線通信技術を使って第1のRANネットワークエレメントと無線通信を行う。
【００４８】
第1のRANネットワークエレメント12は、例えば無線データをスケジュールし、送信し、受信するように構成された無線アクセスネットワークディストリビューションユニット（Radio Access Network Distribution Unit、RANDU）であってよい。無線データはセルブロードキャストデータとユーザーデータとを含む。第2のRANネットワークエレメント13は、例えばコンテクストとユーザーのベアラを管理し、モビリティコントロールを遂行し、コアネットワークを選択し、S−GWへユーザーデータを送信するように構成されたRANコンバージェンスユニット（RAN Convergence Unit、RANCU）であってよい。RANDUとRANCUはクラウドアクセスネットワーク上のネットワークエレメントである。RANDUはRANCUに接続する。RANCUはRAN非リアルタイム（RAN Non Real Time、RAN−NRT）機能を実行するために使われ、RANDUはRANリアルタイム（RAN Real Time、RAN−RT）機能を実行するために使われる。RANCUとRANDUがリアルタイム機能と非リアルタイム機能の分割に基づき得ることは理解できる。ここで、RANCUとRANDUはさらに、他の分割に、例えばプロトコル層の分割に、基づき得る。これはここで限定されない。RANDUは端末によって送信されるデータを受信し、なおかつ該データをRANCUへ送信するように構成される。RANDUはRANCUによって送信されるデータを受信し、なおかつ該データを端末へ送信するようにさらに構成される。RANCUはRANDUによって送信されるデータを受信し、なおかつ該データをコアネットワークデバイスへ送信するように構成される。RANCUはコアネットワークデバイスによって送信されるデータを受信し、なおかつ該データをRANDUへ送信するようにさらに構成される。第四世代移動通信技術（4th−generation、4G）において、RANDUとRANCUはeNBの無線アクセス機能を実行できる。第五世代移動通信技術（5th−generation、5G）において、RANDUとRANCUは5Gにおけるアクセスネットワークデバイスの無線アクセス機能を実行できる。これは本書において一例に過ぎず、使用される通信システムは本願の本実施形態で限定されない。
【００４９】
コアネットワークデバイス14は、例えばモビリティマネジメントエンティティ（Mobility Management Entity、MME）および／または4G通信システムのサービングゲートウェイ（Serving GateWay、S−GW）であってよい。任意に選べることとして、コアネットワークデバイス14はここで、5G通信システムの、ならびに5Gより後の別の進化した通信システムの、コアネットワークデバイスであってもよい。これは本願で限定されない。
【００５０】
図1に示された第1のRANネットワークエレメント12と第2のRANネットワークエレメント13は図2のコンピュータデバイス（またはシステム）を用いて実装されてよい。
【００５１】
図2は本願の一実施形態によるコンピュータデバイスの概略構造図である。図2に示されているように、コンピュータデバイスは、少なくとも1つのプロセッサ21と、メモリ22と、通信インターフェース23と、通信バス24とを含み得る。
【００５２】
これ以降は図2を参照しながらコンピュータデバイスのコンポーネントを具体的に説明する。
【００５３】
プロセッサ21はコンピュータデバイスのコントロールセンターであり、1つのプロセッサであってよく、あるいは複数の処理コンポーネントの総称であってもよい。例えば、プロセッサ21は、中央演算処理装置（Central Processing Unit、CPU）、あるいは特定用途向け集積回路（Application Specific Integrated Circuit、ASIC）、あるいは本願の本実施形態を実装するように構成された1つ以上の集積回路であってよく、例えば1つ以上のマイクロプロセッサ（Digital Signal Processor、DSP）、あるいは1つ以上のフィールドプログラマブルゲートアレイ（Field Programmable Gate Array、FPGA）であってよい。
【００５４】
プロセッサ21は、メモリ22に保管されたソフトウェアプログラムを実行または履行することにより、またメモリ22に保管されたデータを呼び出すことにより、コンピュータデバイスの様々な機能を遂行できる。
【００５５】
具体的な一実装における一実施形態において、プロセッサ21は1つ以上のCPUを含み得、例えば図2のCPU 0とCPU 1とを含み得る。
【００５６】
具体的な一実装における一実施形態において、コンピュータデバイスは複数のプロセッサを含み得、例えば図2に示されたプロセッサ21とプロセッサ25とを含み得る。これらのプロセッサの各々はシングルコアプロセッサ（single−CPU）であってよく、あるいはマルチコアプロセッサ（multi−CPU）であってもよい。プロセッサはここで、データ（コンピュータプログラム命令など）を処理するために使われる1つ以上のデバイス、回路、および／または処理コアであってよい。
【００５７】
メモリ22は、読み取り専用メモリ（Read−only Memory、ROM）、または静的情報および命令を保管できる別種の静的ストレージデバイス、またはランダムアクセスメモリ（Random Access Memory、RAM）、または情報および命令を保管できる別種の動的ストレージデバイスであってよく、あるいは電気的消去可能プログラム可能読み取り専用メモリ（Electrically Erasable Programmable Read−Only Memory、EEPROM）、コンパクトディスク読み取り専用メモリ（Compact Disc Read−Only Memory、CD−ROM）、または他のコンパクトディスクストレージまたは光ディスクストレージ（圧縮光ディスク、レーザーディスク(登録商標)、光ディスク、デジタル多用途ディスク、ブルーレイ光ディスクなどを含む）、磁気ディスクストレージ媒体または他の磁気ストレージデバイス、または命令またはデータ構造の形をとる所期プログラムコードを包含または保管でき、なおかつコンピュータによってアクセスできる他の何らかの媒体であってもよく、ただしこれらに限定されない。メモリ22は単独で存在してよく、通信バス24を用いてプロセッサ21へ接続される。あるいは、メモリ22はプロセッサ21と一体化されてもよい。メモリ22は本願の解決手段を遂行するソフトウェアプログラムを保管するように構成され、プロセッサ21は実行を制御する。
【００５８】
通信インターフェース23はトランシーバなどの装置であり、別のデバイスと、あるいはイーサネット(登録商標)や無線アクセスネットワーク（radio access network、RAN）や無線ローカルエリアネットワーク（Wireless Local Area Networks、WLAN）などの通信ネットワークと、通信するように構成される。通信インターフェース23は、受信機能を遂行する受信ユニットと、送信機能を遂行する送信ユニットとを含み得る。
【００５９】
通信バス24は、業界標準アーキテクチャ（Industry Standard Architecture、ISA）バス、周辺コンポーネントコンポーネントインターコネクト（Peripheral Component、PCI）バス、拡張業界標準アーキテクチャ（Extended Industry Standard Architecture、EISA）バスなどであってよい。バスはアドレスバス、データバス、制御バスなどに分類できる。簡単に示すため、図2ではバスがただ1つの太線で示されている。ただしこれは、バスが1本しかないことを、あるいはバスが1種類しかないことを、意味しない。
【００６０】
図2に示されたデバイスの構造はコンピュータデバイスを制限するものではない。デバイスは、図示されたものより多いか少ないコンポーネントを、いくつかのコンポーネントの組み合わせを、または異なるコンポーネント配置を、含み得る。
【００６１】
本願の一実施形態で提供される通信方法は端末とRANとの間でRRC接続を確立する方法である。例えば、該通信方法は図1に示されたシステムアーキテクチャで使用でき、RRC接続の確立は第1のRRC接続確立と第2のRRC接続確立とを含む。第1のRRC接続確立は端末と第1のRANネットワークエレメントとの無線RRC接続であり、第2のRRC接続確立は第1のRANネットワークエレメントと第2のRANネットワークエレメントとの無線または有線RRC接続である。詳しいプロセスは次のとおりである：RANは第1のRANネットワークエレメントと第2のRANネットワークエレメントとを含んでおり、第1のRANネットワークエレメントと第2のRANネットワークエレメントは相互に接続されており、第1のRANネットワークエレメントは端末とRANとのRRC接続の確立を許可するかどうかを決定し、あるいは端末とRANとの間にRRC接続を確立するため、第1のRANネットワークエレメントと第2のRANネットワークエレメントが端末とRANとのRRC接続の確立を許可するかどうかを共同で決定する。図3は本願の本実施形態による通信方法の流れ図であり、該通信方法は通信システムで使われる。通信システムはRANを含んでおり、RANは第1のRANネットワークエレメントと第2のRANネットワークエレメントとを含んでおり、第1のRANネットワークエレメントと第2のRANネットワークエレメントは相互に接続されている。加えて、第1のRANネットワークエレメントは端末とRANとのRRC接続の確立を許可するかどうかを決定する。図3に示されているように、この方法は以下のステップを具体的に含む。
【００６２】
301．端末は第1のRANネットワークエレメントへ第1のメッセージを送信する。
【００６３】
端末は、RRC接続を確立する必要があるときに、まずは第1のRANネットワークエレメントへ第1のメッセージを送信し、端末とRANとの間にRRC接続を確立することを、第1のメッセージを使って要求する。例えば、第1のメッセージは端末識別子（ue identity）および／または無線接続確立原因（establishment cause）を含んでいる。任意に選べることとして、第1のメッセージはエボルブド・ユニバーサル移動通信システム地上無線アクセス・ネットワーク・アクセス・セル・アイデンティティ（Evolved Universal Mobile Telecommunications System Terrestrial Radio Access Network Cell Global Identifier、E−UTRAN CGI）などをさらに含んでいる。この場合、第1のメッセージは第1のRRC接続確立要求メッセージである。
【００６４】
302．第1のRANネットワークエレメントは、第1のメッセージを受信した後に、第1のメッセージに基づいて、端末とRANとの間にRRC接続を確立することを許可するかどうかを決定する。
【００６５】
第1のRANネットワークエレメントは、RRC接続を許可しないと決定する場合に、RRC接続確立要求を却下し、プロセスを終了させる。第1のRANネットワークエレメントは、RRC接続を許可すると決定する場合に、図3に示されているように、引き続き以降のステップ303〜310を遂行する。
【００６６】
303．第1のRANネットワークエレメントは第1のメッセージの応答メッセージを端末へ送信する。
【００６７】
第1のRANネットワークエレメントは、RRC接続を確立することを決定するときに、第2のネットワークエレメントへ第2のメッセージを送信する。第1のRANネットワークエレメントは、端末とRANとのRRC接続を確立することを決定するときに、あるいはRRC接続を確立することを決定した後に、第1のメッセージの応答メッセージを端末へ送信する。第1のメッセージの応答メッセージが送信される具体的な時間は本願で限定されない。
【００６８】
したがって、第1のRANネットワークエレメントは、端末とRANとのRRC接続の確立が決定されたことを、第1のメッセージの応答メッセージを使って端末に通知する。例えば、第1のメッセージの応答メッセージは第1のRRC接続確立メッセージであってよい。
【００６９】
第1のRANネットワークエレメントは、RRC接続を確立することを決定した後に、端末のRRC接続の確立のために無線リソースを構成する。例えば、第1のRANネットワークエレメントは端末にセルラジオネットワーク仮識別子（Cell Radio Network Temporary Identifier、C−RNTI）を割り当てる。C−RNTIは第1のRANネットワークエレメントによって端末に割り当てられる動的な識別子であり、セルラジオ内で端末を識別するために使われる。C−RNTIは接続モードの端末に限って有効であり、換言すると、第1のRANネットワークエレメントが端末と通信するときに使われる端末の識別子である。さらに、端末のために第1のRANネットワークエレメントと第2のRANネットワークエレメントとの通信リンクを確立するため、第1のRANネットワークエレメントは端末に第1の識別子をさらに割り当てる。第1の識別子は第1のRANネットワークエレメントの範囲内で端末を識別するために使われる。第1の識別子はRANDU UE VnAP IDであってよい。第1の識別子RANDU UE VnAP IDは本書において一例に過ぎず、識別子の名前は本願の本実施形態で限定されない。加えて、第1の識別子は別のステップで割り当てられてもよく、これは本書において一例に過ぎない。
【００７０】
以下のステップ304を遂行するため、第1のRANネットワークエレメントは端末とRANとのRRC接続の確立を許可することを決定する。
【００７１】
304．端末は第1のRANネットワークエレメントによって送信された第1のメッセージの応答メッセージを受信する。
【００７２】
305．端末は第1のRANネットワークエレメントへ第3のメッセージを送信する。
【００７３】
端末は、第1のRANネットワークエレメントによって送信された第1のメッセージの応答メッセージを受信し、RRC接続の確立を完了した後に、端末とRANとのRRC接続の確立が完了したことを第1のRANネットワークエレメントに通知するため、第1のRANネットワークエレメントへ第3のメッセージを送信する。例えば、第3のメッセージは第1のRRC接続確立完了メッセージであってよい。
【００７４】
306．第1のRANネットワークエレメントは端末によって送信された第3のメッセージを受信する。
【００７５】
第1のRANネットワークエレメントは、端末によって送信された第3のメッセージを受信した後に、端末がRRC接続の確立を完了したことを知る。
【００７６】
なお、端末と第1のRANネットワークエレメントとの第1の無線RRC接続の確立はステップ301〜306で完了する。さらに、端末とRANとのRRC接続を完了するためには、第1のRANネットワークエレメントと第2のRANネットワークエレメントとの無線または有線の第2のRRC接続の確立を完了することがさらに必要となる。例えば、第1のRANネットワークエレメントは、RRC接続を確立することを決定する場合に、端末へ第1のメッセージの応答メッセージを送信する。第1のRANネットワークエレメントは、端末によって送信された第3のメッセージを受信した後に、第2のRANネットワークエレメントへ第2のメッセージを送信する。例えば、第2のメッセージは第2のRRC接続確立完了メッセージである。したがって、端末と第1のネットワークエレメントとのRRC接続の確立が完了したことを第2のRANネットワークエレメントに通知するときに、端末はRRC接続の確立のためにリソースを構成することを第2のRANネットワークエレメントに要求でき、以下の詳細ステップ307〜310が具体的に含まれる。
【００７７】
307．第1のRANネットワークエレメントは第2のRANネットワークエレメントへ第2のメッセージを送信する。
【００７８】
第1のRANネットワークエレメントは、RRC接続を確立することを決定するときに、第2のネットワークエレメントへ第2のメッセージを送信する。第1のRANネットワークエレメントは、RRC接続を確立することを決定するときに、第2のネットワークエレメントへ第2のメッセージを送信できる。任意に選べることとして、第1のRANネットワークエレメントは、RRC接続を確立することを決定した後に、第2のネットワークエレメントへ第2のメッセージを送信することもできる。第2のメッセージが送信される具体的な時間は本願で限定されない。
【００７９】
第2のメッセージは第1の識別子を含んでいる。なお、第2のメッセージはue identity、および／またはestablishment cause、および／またはE−UTRAN CGI、および／またはC−RNTIなどをさらに含んでいる。
【００８０】
308．第2のRANネットワークエレメントは第1のRANネットワークエレメントによって送信された第2のメッセージを受信し、端末のためにリソースを構成する。
【００８１】
例えば、第2のメッセージは図3に示された第2のRRC接続確立完了メッセージであり、したがって第2のRANネットワークエレメントは端末と第1のRANネットワークエレメントとのRRC接続の確立が完了していることを知る。
【００８２】
第2のRANネットワークエレメントは端末のRRC接続の確立のためにリソースを構成する。例えば、第2のRANネットワークエレメントは、シグナリングベアラ（Signalling radio bearer）のパケットデータコンバージェンスプロトコル（Packet Data Convergence Protocol、PDCP）と無線リンク制御層（Radio Link Control、RLC）プロトコルの構成パラメータ、論理チャネルパラメータ、物理チャネルリソース、専用構成パラメータなどを端末に割り当てる。
【００８３】
なお、第2のRANネットワークエレメントは端末に第2の識別子をさらに割り当てる。第2の識別子は第2のRANネットワークエレメントの範囲内で端末を識別するために使われる。第2の識別子はRANCU UE VnAP IDであってよい。第2の識別子RANCU UE VnAP IDは本書において一例に過ぎず、識別子の名前は本願の本実施形態で限定されない。加えて、第2の識別子は別のステップで割り当てられてもよく、これは本書において一例に過ぎない。
【００８４】
309．第2のRANネットワークエレメントは第2のメッセージの応答メッセージを第1のRANネットワークエレメントへ送信する。
【００８５】
したがって、第2のRANネットワークエレメントは、第2のRANネットワークエレメントが端末のRRC接続の確立のためのリソース構成を完了したことを、第2のメッセージの応答メッセージを使って第1のRANネットワークエレメントに通知する。例えば、第2のメッセージの応答メッセージは端末のコンテクスト確立プロセスにおけるダウンリンクメッセージであってよく、例えばコンテクスト確立メッセージまたはダウンリンク・ノンアクエス・ストラタム（Non−access stratum、NAS）メッセージであってよい。第2のメッセージの応答メッセージは端末のために第2のRANネットワークエレメントによって構成されるリソースパラメータを含んでおり、例えば、端末に対するSignalling radio bearerのPDCPプロトコルとRLCプロトコルの構成パラメータ、論理チャネルパラメータ、物理チャネルリソース、専用構成パラメータなどを含んでいる。第2のメッセージの応答メッセージは第1の識別子と第2の識別子とを含んでいる。したがって、第1のRANネットワークエレメントは、端末とRANとの間にRRC接続を確立するため、第1の識別子と第2の識別子に基づいて、端末のために第1のRANネットワークエレメントとRANとの間にリンクを確立する。
【００８６】
310．第1のRANネットワークエレメントは第2のRANネットワークエレメントによって送信された第2のメッセージの応答メッセージを受信する。
【００８７】
本願の本実施形態の例で、第1のRANネットワークエレメントと第2のRANネットワークエレメントとの第2のRRC接続プロセスと端末と第1のRANネットワークエレメントとの第1のRRC接続確立プロセスは、時系列に従って順次遂行される。換言すると、第2のRRC接続プロセスは第1のRRC接続確立プロセスが完了した後に開始される。任意に選べることとして、本願の本実施形態における第2のRRC接続プロセスと第1のRRC接続確立プロセスは時系列に従って遂行されなくてよい。換言すると、第1のRRC接続確立プロセスが完了した後に第2のRRC接続プロセスが開始される必要はない。これは本書において一例に過ぎず、これは本願で限定されない。
【００８８】
第1のRANネットワークエレメントによって端末に割り当てられる無線リソースの関連情報（例えば第1の識別子）を含む第2のメッセージが、RRC接続の確立が完了したことを第2のRANネットワークエレメントに通知するためにさらに使用できることが理解できる。例えば、第2のメッセージは第2のRRC接続確立完了メッセージである。したがって、RRC接続の確立が完了するときにシグナリングを節約でき、リンクを確立する遅延を効果的に低減できる。
【００８９】
本願の前述した実施形態で、第1のRANネットワークエレメントは端末がRRC接続を確立できるかどうかを判断し、第1のRANネットワークエレメントは、第1のRANネットワークエレメントによって第2のRANネットワークエレメントへ第2のRRC接続確立完了メッセージで端末の第1の識別子が送信されることを確認する。任意に選べることとして、端末がRRC接続を確立できるかどうかを第1のRANネットワークエレメントが判断する別の可能な一実装において、第1のRANネットワークエレメントは、第1のRANネットワークエレメントによって第2のRANネットワークエレメントへ第2のRRC接続確立要求メッセージで端末の第1の識別子が送信され得ることを確認する。換言すると、第1のRANネットワークエレメントは、RRC接続を確立することを決定する場合に、第2のRANネットワークエレメントへ第2のメッセージを送信し、第2のメッセージは第2のRRC接続確立要求メッセージであってよい。具体的な方法プロセスは図4に示されており、ステップ401〜406は図3に示されたステップ301〜306と同じである。本願の実施形態において、詳細はここで繰り返し説明しない。図4と図3に示された実施形態の違いは、第1のRANネットワークエレメントによって端末に割り当てられる無線リソースの関連情報（例えば第1の識別子）を含む第2のメッセージが異なることにある。図4に示された一実施形態において、第2のメッセージは第2のRRC接続確立要求メッセージであり、第2のメッセージは端末のRRC接続の確立のためにリソースを構成することを第2のRANネットワークエレメントに要求するために第1のRANネットワークエレメントによって使われるメッセージである。ステップ408〜410は図3に示されたステップ308〜310と同じであり、本願の実施形態において、詳細はここで繰り返し説明しない。本願の本実施形態で提供される通信方法のステップの順序は適切に調整できる。図4に示されているように、ステップ409および410はステップ412の後に遂行される。任意に選べることとして、ステップ409および410は、ステップ408の後、ステップ405の前に、遂行されてもよい。これはここで限定されない。加えて、例えば、ステップ401〜406における第1のRANネットワークエレメントと端末との第1のRRC接続確立プロセスと、ステップ407〜410における第1のRANネットワークエレメントと第2のRANネットワークエレメントとの第2のRRC接続確立プロセスは、時系列に従って遂行されなくてもよい。換言すると、第1のRRC接続確立プロセスが完了した後に第2のRRC接続確立プロセスが開始される必要はなく、2つのプロセスは同時に実行されてもよい。例えば、ステップ403および407は同時に遂行される。具体的に述べると、第1のRANネットワークエレメントはRRC接続を確立することを決定し、第1のRANネットワークエレメントが端末へ第1のメッセージの応答メッセージを送信することと、第1のRANネットワークエレメントが第2のRANネットワークエレメントへ第2のメッセージを送信することとは、同時に遂行されてもよい。あるいは、ステップ410および412は同時に遂行される。これは本書における説明のための一例に過ぎず、これは本願で限定されない。あるいは、2つのプロセスは時間において交互に起きる。例えば、第1のRANネットワークエレメントは、RRC接続を確立することを決定した後に、まずはステップ407を遂行する。具体的に述べると、第1のRANネットワークエレメントは第2のRANネットワークエレメントへ第2のメッセージを送信し、その後端末へ第1のメッセージの応答メッセージを送信する。これは本書における説明のための一例に過ぎず、これは本願で限定されない。
【００９０】
任意に選べることとして、第1のRANネットワークエレメントは、端末によって送信された第3のメッセージを受信した後に、すなわち、端末とRANとのRRC接続の確立が完了したことを第1のRANネットワークエレメントに通知するために端末によって使われるメッセージを受信した後に、端末とRANとのRRC接続の確立が完了したことを第2のRANネットワークエレメントに通知する必要がある。例えば、本願の本実施形態におけるステップ406の後、ステップ410の前には、ステップ411および412がさらに遂行されてもよい。ステップ411および412はRRC接続の確立が完了したことを第2のRANネットワークエレメントに通知するために遂行され、これは具体的には次のとおりである。
【００９１】
411．第1のRANネットワークエレメントは第2のRANネットワークエレメントへ第4のメッセージを送信する。
【００９２】
第1のRANネットワークエレメントは、RRC接続の確立が完了したことを第2のRANネットワークエレメントに通知するため、端末によって送信された第3のメッセージを受信した後に、第2のRANネットワークエレメントへ第4のメッセージを送信する。例えば、第4のメッセージは第2のRRC接続確立完了メッセージであってよい。
【００９３】
412．第2のRANネットワークエレメントは第1のRANネットワークエレメントによって送信された第4のメッセージを受信する。
【００９４】
したがって、第2のRANネットワークエレメントは、第4のメッセージを受信した後に、端末とRANとのRRC接続の確立が完了したことを知る。
【００９５】
本願の本実施形態では、第2のメッセージの応答メッセージを使って第1のRANネットワークエレメントへ第2の識別子が送信される。任意に選べることとして、第2の識別子は、第2のRANネットワークエレメントがステップ408で第1のRANネットワークエレメントによって送信された第2のメッセージを受信した後、ステップ409の前に、新たなフィードバック情報として第1のRANネットワークエレメントへフィードバックされてもよい。これは本書において一例に過ぎず、第2の識別子のキャリアは本実施形態で限定されない。
【００９６】
本願の本実施形態で、第1のRANネットワークエレメントによって端末に割り当てられる無線リソースの関連情報（第1の識別子を含む）を含む第2のメッセージが第2のRRC接続確立要求メッセージであってよいことは理解できる。加えて、第1のRANネットワークエレメントと端末との第1のRRC接続確立プロセスと第1のRANネットワークエレメントと第2のRANネットワークエレメントとの第2のRRC接続確立プロセスは、同時に、または交互に、遂行され、端末とRANとの間でRRC接続の確立が完了するときには、接続確立の遅延が効果的に低減される。
【００９７】
第1のRANネットワークエレメントが端末の第1の識別子を特定することは、第2のRRC接続確立要求メッセージで遂行され得るばかりでなく、任意に、第2のRRC接続確立メッセージで遂行さてもよい。換言すると、第2のメッセージはさらに、第2のRRC接続確立メッセージであってもよい。図5を参照し、具体的に述べると、ステップ501〜512はステップ401〜412と同じであり、有益な効果は図4に示された実施形態のそれと同じであり、ここでは詳細を繰り返し説明しない。
【００９８】
前述の実施形態で提供される通信方法において、第1のRANネットワークエレメントは端末がRANとのRRC接続を確立できるかどうかを判断する。別の可能な一実装において、端末がRANとのRRC接続を確立できるかどうかは、第1のRANネットワークエレメントと第2のRANネットワークエレメントによって共同で判断されてもよい。図1に示された無線アクセスネットワークアーキテクチャに基づき、図6は本願の一実施形態による通信方法の流れ図であり、該通信方法は通信システムで使われる。通信システムはRANを含んでおり、RANは第1のRANネットワークエレメントと第2のRANネットワークエレメントとを含んでおり、第1のRANネットワークエレメントと第2のRANネットワークエレメントは相互に接続されている。加えて、第1のRANネットワークエレメントと第2のRANネットワークエレメントは端末とRANとのRRC接続の確立を許可するかどうかを共同で決定する。図6に示されているように、この方法は以下のステップを具体的に含む。
【００９９】
601．端末は第1のRANネットワークエレメントへ第1の要求メッセージを送信する。
【０１００】
端末は、RANとRRC接続を確立する必要があるときに、第1のRANネットワークエレメントへ第1の要求メッセージを送信し、端末とRANとの間にRRC接続を確立することを第1の要求メッセージを使って第1のRANネットワークエレメントに要求する。例えば、第1の要求メッセージは、ue identity、および／またはestablishment cause、および／またはE−UTRAN CGIなどを含んでいる。例えば、第1の要求メッセージは第1のRRC接続確立要求メッセージであってよい。
【０１０１】
602．第1のRANネットワークエレメントは端末によって送信された第1の要求メッセージを受信する。
【０１０２】
603．第1のRANネットワークエレメントは第1の要求メッセージに基づいてRRC接続を確立することを決定し、端末のRRC接続の確立のために無線リソースを構成する。
【０１０３】
第1のRANネットワークエレメントは、端末によって送信された第1の要求メッセージを受信した後に、端末とRANとのRRC接続の確立を許可することを決定し、端末のRRC接続の確立のために無線リソースを構成する。例えば、第1のRANネットワークエレメントは端末にC−RNTIを割り当てる。C−RNTIは第1のRANネットワークエレメントによって端末に割り当てられる動的な識別子であり、セルラジオ内で端末を識別するために使われる。C−RNTIは接続モードの端末に限って有効であり、換言すると、第1のRANネットワークエレメントが端末と通信するときに使われる端末の識別子である。
【０１０４】
さらに、第1のRANネットワークエレメントは端末に第1の識別子をさらに割り当てることができる。第1の識別子は第1のRANネットワークエレメントの範囲内で端末を識別するために使われる。第1の識別子はRANDU UE VnAP IDであってよい。第1の識別子RANDU UE VnAP IDは本書において一例に過ぎず、識別子の名前は本願の本実施形態で限定されない。
【０１０５】
604．第1のRANネットワークエレメントは、第1の要求メッセージに基づいてRRC接続を確立することを決定する場合に、第2のRANネットワークエレメントへ第2の要求メッセージを送信する。
【０１０６】
したがって、第1のRANネットワークエレメントは、端末がRANへのRRC接続の確立を要求していることを、第2の要求メッセージを使って第2のRANネットワークエレメントに通知する。第2の要求メッセージは第1の識別子を含んでいる。なお、第2の要求メッセージは、ue identity、および／またはestablishment cause、および／またはE−UTRAN CGI、および／またはC−RNTIをさらに含んでいる。例えば、第2の要求メッセージは第2のRRC接続確立要求メッセージであってよい。
【０１０７】
605．第2のRANネットワークエレメントは第1のRANネットワークエレメントによって送信された第2の要求メッセージを受信する。
【０１０８】
606．第2のRANネットワークエレメントは第2の要求メッセージに基づいてRRC接続を確立することを決定し、端末のRRC接続の確立のために無線リソースを構成する。
【０１０９】
第2のRANネットワークエレメントは、第2の要求メッセージを受信した後に、端末とRANとのRRC接続の確立を許可することを決定し、端末のRRC接続の確立のために無線リソースを構成する。例えば、第2のRANネットワークエレメントは、Signalling radio bearerのPDCPプロトコルとRLCプロトコルの構成パラメータ、および／または論理チャネルパラメータ、および／または物理チャネルリソース、専用構成パラメータなどを端末に割り当てる。
【０１１０】
なお、第2のRANネットワークエレメントは端末に第2の識別子をさらに割り当てることができる。第2の識別子は第2のRANネットワークエレメントの範囲内で端末を識別するために使われる。第2の識別子はRANCU UE VnAP IDであってよい。第2の識別子RANCU UE VnAP IDは本書において一例に過ぎず、識別子の名前は本願の本実施形態で限定されない。
【０１１１】
607．第2のRANネットワークエレメントは第1のRANネットワークエレメントへ第2の要求メッセージの応答メッセージを送信する。
【０１１２】
第2のRANネットワークエレメントは、第2のRANネットワークエレメントが端末とRANとの間にRRC接続を確立することを決定したことを、第2の要求メッセージの応答メッセージを使って第1のRANネットワークエレメントに通知する。第2の要求メッセージの応答メッセージは第1の識別子と第2の識別子とを含んでいる。したがって、第1のRANネットワークエレメントは、端末とRANとのRRC接続プロセスを実現するため、第1の識別子と第2の識別子とに基づいて、端末のために第1のRANネットワークエレメントと第2のRANネットワークエレメントとの間にリンクを確立する。第2の要求メッセージの応答メッセージは、第2のRANネットワークエレメントによって端末に割り当てられるシグナリングベアラ（Signalling radio bearer）のPDCPとRLCの構成パラメータ、および／または論理チャネルパラメータ、および／または物理チャネルリソース、および／または専用構成パラメータなどをさらに含んでいる。この場合、第2の要求メッセージの応答メッセージは第1のRRC接続確立メッセージであってよい。
【０１１３】
608．第1のRANネットワークエレメントは第2のRANネットワークエレメントによって送信された第2の要求メッセージの応答メッセージを受信する。
【０１１４】
第1のRANネットワークエレメントは、第2の要求メッセージの応答メッセージに基づいて第1の要求メッセージの応答メッセージを生成できる。
【０１１５】
609．第1のRANネットワークエレメントは第2の要求メッセージの応答メッセージに基づいて第1の要求メッセージの応答メッセージを端末へ送信する。
【０１１６】
第1のRANネットワークエレメントは、第1のRANネットワークエレメントが端末とRANとの間にRRC接続を確立することを決定したことを、第1の要求メッセージの応答メッセージを使って端末に通知する。例えば、第1の要求メッセージの応答メッセージは第2のRRC接続確立メッセージであってよい。
【０１１７】
610．端末は第1のRANネットワークエレメントによって送信された第1の要求メッセージの応答メッセージを受信する。
【０１１８】
611．端末は第1のRANネットワークエレメントへ第1のRRC接続確立完了メッセージを送信する。
【０１１９】
端末は、端末とRANとのRRC接続の確立が完了したことを、第1のRRC接続確立完了メッセージを使って第1のRANネットワークエレメントに通知する。
【０１２０】
612．第1のRANネットワークエレメントは端末によって送信された第1のRRC接続確立完了メッセージを受信する。
【０１２１】
第1のRANネットワークエレメントは、メッセージを受信した後に、RRC接続の確立が完了したことを、メッセージを用いて確認する。
【０１２２】
613．第1のRANネットワークエレメントは第2のRANネットワークエレメントへ第2のRRC接続確立完了メッセージを送信する。
【０１２３】
第1のRANネットワークエレメントは、端末とRANとの間でRRC接続の確立が完了したことを、第2のRRC接続確立完了メッセージを使って第2のRANネットワークエレメントに通知する。
【０１２４】
614．第2のRANネットワークエレメントは第1のRANネットワークエレメントによって送信された第2のRRC接続確立完了メッセージを受信する。
【０１２５】
第2のRANネットワークエレメントは、メッセージを受信した後に、RRC確立が完了したことを知る。
【０１２６】
本実施形態の本実施形態で提供される通信方法によると、通信システムがRANを含み、RANが第1のRANネットワークエレメントと第2のRANネットワークエレメントとを含み、第1のRANネットワークエレメントと第2のRANネットワークエレメントとが相互に接続されるシナリオにおいては、端末とRANとの間にRRC接続を確立するため、第1のRANネットワークエレメントと第2のRANネットワークエレメントが端末とRANとの間のRRC接続の確立を許可するかどうかを共同で判断する。
【０１２７】
これまでは主に、ネットワークエレメント間のやり取りの観点から本願の実施形態で提供される解決手段を説明した。前述の機能を実行するため、第1のRANネットワークエレメントや第2のRANネットワークエレメントといった各ネットワークエレメントが、各機能を実行する対応するハードウェア構造および／またはソフトウェアモジュールを含むことは理解できる。当業者なら、本明細書で開示される実施形態を参照しながら説明される例のアルゴリズムステップを、本願において、ハードウェアの形で、あるいはハードウェアとコンピュータソフトウェアの組み合わせで、実装できることに、容易く気づくであろう。機能がハードウェアによって遂行されるか、それともコンピュータソフトウェアによって駆動されるハードウェアによって遂行されるかは、技術的解決手段の具体的な用途と設計上の制約しだいで決まる。当業者なら具体的な用途で説明されている機能を様々な方法で実装できるが、そのような実装は本願の範囲を超えるものとみなすべきではない。
【０１２８】
本願の一実施形態において、第1のRANネットワークエレメントと第2のRANネットワークエレメントは前述した方法例に基づいて機能モジュールに分割できる。例えば、対応する機能に基づく分割によって各機能モジュールを得ることができ、あるいは2つ以上の機能を1つの処理モジュールに統合することもできる。統合モジュールはハードウェアの形で実装でき、あるいはソフトウェア機能モジュールの形で実装できる。なお、本願の本実施形態で、モジュール分割は一例であり、論理的な機能分割に過ぎない。具体的な実装では別の分割方式を用いることができる。
【０１２９】
各機能の分割によって各機能モジュールが得られる場合、図7は前述した実施形態における第1のRANネットワークエレメントの可能な概略構成図である。図7に示されているように、第1のRANネットワークエレメント70は、受信ユニット701と、処理ユニット702と、送信ユニット703とを含み得る。
【０１３０】
受信ユニット701は、図3に示された通信方法のステップ302、306、および310、図4に示された通信方法のステップ402、406、および410、図5に示された通信方法のステップ502、506、および510、ならびに図6に示された通信方法のステップ602、608、および612を遂行するにあたって第1のRANネットワークエレメントを支援するように構成される。
【０１３１】
処理ユニット702は、図3に示された通信方法のステップ302、図4に示された通信方法のステップ402、図5に示された通信方法のステップ502、ならびに図6に示された通信方法のステップ603を遂行するにあたって第1のRANネットワークエレメントを支援するように構成される。
【０１３２】
送信ユニット703は、図3に示された通信方法のステップ303および307、図4に示された通信方法のステップ403、407、および411、図5に示された通信方法のステップ503、507、および511、ならびに図6に示された通信方法のステップ604および613を遂行するにあたって第1のRANネットワークエレメントを支援するように構成される。
【０１３３】
なお、方法の実施形態のステップの関連内容はどれも、参照により、対応する機能モジュールの機能の説明に組み入れることができる。ここでは詳細を繰り返し説明しない。
【０１３４】
本願の一実施形態で提供される第1のRANネットワークエレメントは前述の通信方法を遂行するように構成されるため、前述の通信方法と同じ効果を達成できる。
【０１３５】
統合ユニットが使用される場合、図8は前述した実施形態における第1のRANネットワークエレメントの別の可能な概略構成図である。図8に示されているように、第1のRANネットワークエレメント80は処理モジュール801と通信モジュール802とを含んでいる。
【０１３６】
処理モジュール801は第1のRANネットワークエレメントの動作を制御し管理するように構成される。例えば、処理モジュール801は、図3に示された通信方法のステップ302、図4に示された通信方法のステップ402、図5に示された通信方法のステップ502、図6に示された通信方法のステップ603、および／または本明細書で説明されている技術の他のプロセスを遂行するにあたって第1のRANネットワークエレメントを支援するように構成される。通信モジュール802は第1のRANネットワークエレメントと他のネットワークエンティティとの通信を支援するように構成される。第1のRANネットワークエレメントは、第1のRANネットワークエレメントのプログラムコードとデータを保管するように構成された保管モジュール803をさらに含み得る。
【０１３７】
処理モジュール801はプロセッサかコントローラであってよい。処理モジュール801は、本願で開示される内容を参照して説明されている様々な例示的な論理ブロック、モジュール、および回路を実施もしくは実行できる。あるいは、プロセッサは計算機能を実施するプロセッサの組み合わせであってよく、例えば1つ以上のマイクロプロセッサの組み合わせ、またはDSPとマイクロプロセッサの組み合わせなどであってよい。通信モジュール802は、トランシーバ、トランシーバ回路、通信インターフェースなどであってよい。保管モジュール803はメモリであってよい。
【０１３８】
処理モジュール801がプロセッサであり、通信モジュール802が通信インターフェースであり、保管モジュール803がメモリである場合、本願の本実施形態の第1のRANネットワークエレメントは図2に示されたコンピュータデバイスであってよい。
【０１３９】
各機能の分割によって各機能モジュールが得られる場合、図9は前述した実施形態における第2のRANネットワークエレメントの可能な概略構成図である。図9に示されているように、第2のRANネットワークエレメント90は、受信ユニット901と、処理ユニット902と、送信ユニット903とを含み得る。
【０１４０】
受信ユニット901は、図3に示された通信方法のステップ308、図4に示された通信方法のステップ408および412、図5に示された通信方法のステップ508および512、ならびに図6に示された通信方法のステップ605および614を遂行するにあたって第2のRANネットワークエレメントを支援するように構成される。
【０１４１】
処理ユニット902は、図6に示された通信方法のステップ606を遂行するにあたって第2のRANネットワークエレメントを支援するように構成される。
【０１４２】
送信ユニット903は、図3に示された通信方法のステップ309、図4に示された通信方法のステップ409、図5に示された通信方法のステップ509、ならびに図6に示された通信方法のステップ607を遂行するにあたって第2のRANネットワークエレメントを支援するように構成される。
【０１４３】
なお、方法の実施形態のステップの関連内容はどれも、参照により、対応する機能モジュールの機能の説明に組み入れることができる。ここでは詳細を繰り返し説明しない。
【０１４４】
本願の一実施形態で提供される第2のRANネットワークエレメントは前述の通信方法を遂行するように構成されるため、前述の通信方法と同じ効果を達成できる。
【０１４５】
統合ユニットが使用される場合、図10は前述した実施形態における第2のRANネットワークエレメントの別の可能な概略構成図である。図10に示されているように、第2のRANネットワークエレメント100は処理モジュール1001と通信モジュール1002とを含んでいる。
【０１４６】
処理モジュール1001は第2のRANネットワークエレメントの動作を制御し管理するように構成される。通信モジュール1002は第2のRANネットワークエレメントと他のネットワークエンティティとの通信を支援するように構成される。第2のRANネットワークエレメントは、第2のRANネットワークエレメントのプログラムコードとデータを保管するように構成された保管モジュール1003をさらに含み得る。
【０１４７】
処理モジュール1001はプロセッサかコントローラであってよい。処理モジュール1001は、本願で開示される内容を参照して説明される様々な例示的な論理ブロック、モジュール、および回路を実施もしくは実行できる。あるいは、プロセッサは計算機能を実施するプロセッサの組み合わせであってよく、例えば1つ以上のマイクロプロセッサの組み合わせ、またはDSPとマイクロプロセッサの組み合わせなどであってよい。通信モジュール1002は、トランシーバ、トランシーバ回路、通信インターフェースなどであってよい。保管モジュール1003はメモリであってよい。
【０１４８】
処理モジュール1001がプロセッサであり、通信モジュール1002が通信インターフェースであり、保管モジュール1003がメモリである場合、本願の本実施形態の第2のRANネットワークエレメントは図2に示されたコンピュータデバイスであってよい。
【０１４９】
実装に関する上記の説明は、説明を簡潔にするため、前述の機能モジュールの分割が説明のための一例として使われていることを、当業者が理解できるようにするものである。実際の応用では、必要に応じて前述の機能を様々な機能モジュールに割り当てて実装でき、換言すると、上述した機能の全部または一部を実装するため、装置の内部構造は様々な機能モジュールに分割される。
【０１５０】
本願で提供されるいくつかの実施形態において、開示されている装置と方法が別の様態で実装されてよいことを理解されたい。例えば、説明されている装置の実施形態は例に過ぎない。例えば、モジュールやユニットの分割は論理的な機能分割に過ぎず、具体的な実装においては別の分割であってもよい。例えば、複数のユニットやコンポーネントが組み合わされて別の装置にまとめられてもよく、一部の機能は無視されてもよく、遂行されなくてもよい。加えて、表示もしくは論述されている相互結合や直接結合や通信接続は何らかのインターフェースを用いて実装されてよい。装置またはユニット間の間接結合や通信接続は電子的形態や機械的形態やその他の形態で実装されてよい。
【０１５１】
単独のコンポーネントとして説明されているユニットは物理的に単独である場合とそうでない場合があり、ユニットとして表示されているコンポーネントは1つ以上の物理的ユニットである場合があり、換言すると、1箇所に置かれる場合があり、あるいは複数の別々の場所に分散される場合もある。実施形態の解決手段の目的を達成するため、ユニットの一部または全部が実際の要求に応じて選ばれてよい。
【０１５２】
加えて、本願の実施形態の機能ユニットは1つの処理ユニットに統合されてよく、あるいはそれぞれのユニットが物理的に単独で存在してもよく、あるいは2つ以上のユニットが1つのユニットに統合されてもよい。統合されたユニットはハードウェアの形で実装されてよく、あるいはソフトウェア機能ユニットの形で実装されてもよい。
【０１５３】
統合されたユニットがソフトウェア機能ユニットの形で実装され、独立した製品として販売もしくは使用される場合、統合されたユニットは可読記憶媒体に保管されてよい。このような理解に基づき、本願の実施形態の技術的解決手段は、あるいは先行技術に寄与する部分は、あるいは技術的解決手段の全部または一部は、ソフトウェア製品の形で実装されてよい。ソフトウェア製品は記憶媒体に保管され、本願の実施形態で説明されている方法のステップの全部または一部を遂行することをデバイス（シングルチップマイクロコンピュータ、チップなどであり得る）またはプロセッサ（processor）に命令するいくつかの命令を含んでいる。前述した記憶媒体は、USBフラッシュドライブ、リムーバブルハードディスク、読み取り専用メモリ（Read−Only Memory、ROM）、ランダムアクセスメモリ（Random Access Memory、RAM）、磁気ディスク、光ディスクなど、プログラムコードを保管できる何らかの媒体を含む。
【０１５４】
上記の説明は本願の特定の実装に過ぎず、本願の保護範囲を制限することを意図するものではない。本願で開示される技術的範囲内にあるバリエーションや代替は本願の保護範囲に含まれるものとする。したがって、本願の保護範囲は請求項の保護範囲に従うものとする。
【符号の説明】
【０１５５】
11  端末
12  第1のRANネットワークエレメント
13  第2のRANネットワークエレメント
14  コアネットワークデバイス
21  プロセッサ
22  メモリ
23  通信インターフェース
24  通信バス
25  プロセッサ
70  第1のRANネットワークエレメント
80  第1のRANネットワークエレメント
90  第2のRANネットワークエレメント
100  第2のRANネットワークエレメント
701  受信ユニット
702  処理ユニット
703  送信ユニット
801  処理モジュール
802  通信モジュール
803  保管モジュール
901  受信ユニット
902  処理ユニット
903  送信ユニット
1001  処理モジュール
1002  通信モジュール
1003  保管モジュール
【図１】
2020522950.tif 000003
【図２】
2020522950.tif 000004
【図３】
2020522950.tif 000005
【図４】
2020522950.tif 000006
【図５】
2020522950.tif 000007
【図６】
2020522950.tif 000008
【図７】
2020522950.tif 000009
【図８】
2020522950.tif 000010
【図９】
2020522950.tif 000011
【図１０】
2020522950.tif 000012
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第1のRANネットワークエレメントにより、端末から第1のメッセージを受信するステップであって、前記第1のメッセージは、前記端末と前記RANとの無線リソース制御RRC接続の確立を要求するために使われる、ステップと、
前記第1のRANネットワークエレメントにより、前記第1のメッセージに基づいて前記RRC接続を確立することを決定し、前記端末へ前記第1のメッセージの応答メッセージを送信するステップであって、前記第1のメッセージの前記応答メッセージは、前記端末と前記RANとの前記RRC接続の前記確立が決定されたことを前記端末に通知するために使われる、ステップと、
前記第1のRANネットワークエレメントにより、前記第2のRANネットワークエレメントへ第2のメッセージを送信するステップであって、前記第2のメッセージは、前記端末の前記RRC接続の前記確立のためにリソースを構成することを前記第2のRANネットワークエレメントに要求するために使われる、ステップと、
前記第1のRANネットワークエレメントにより、前記第2のRANネットワークエレメントから前記第2のメッセージの応答メッセージを受信するステップであって、前記第2のメッセージの前記応答メッセージは、前記端末のために前記第2のRANネットワークエレメントによって構成されるリソースパラメータを含んでいる、ステップとを含む、方法。
【請求項２】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項1に記載の方法。
【請求項３】
前記第1のRANネットワークエレメントにより、前記端末へ前記第1のメッセージの応答メッセージを送信する前記ステップの後に、前記方法は、
前記第1のRANネットワークエレメントにより、前記端末によって送信される第3のメッセージを受信するステップであって、前記第3のメッセージは、前記RRC接続の前記確立が完了したことを前記第1のRANネットワークエレメントに通知するために使われる、ステップをさらに含む、請求項1または2に記載の方法。
【請求項４】
前記第1のRANネットワークエレメントにより、前記端末によって送信される第3のメッセージを受信する前記ステップの後に、前記方法は、
前記第1のRANネットワークエレメントにより、前記第2のRANネットワークエレメントへ第4のメッセージを送信するステップであって、前記第4のメッセージは、前記RRC接続の前記確立が完了したことを前記第2のRANネットワークエレメントに通知するために使われる、ステップをさらに含む、請求項3に記載の方法。
【請求項５】
前記第2のメッセージは、前記RRC接続の前記確立が完了したことを前記第2のRANネットワークエレメントに通知するためにさらに使われる、請求項1から3のいずれか一項に記載の方法。
【請求項６】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第2のRANネットワークエレメントにより、前記第1のRANネットワークエレメントから第2のメッセージを受信するステップであって、前記第2のメッセージは、端末の無線リソース制御RRC接続の確立のためにリソースを構成することを前記第2のRANネットワークエレメントに要求するために使われ、第1のメッセージは、前記第1のRANネットワークエレメントが前記第2のRANネットワークエレメントへ前記第2のメッセージを送信する前に前記端末から受信されるメッセージであり、前記第1のメッセージは、前記端末と前記RANとの前記RRC接続の前記確立を要求するために使われる、ステップと、
前記第2のRANネットワークエレメントにより、前記第1のRANネットワークエレメントへ前記第2のメッセージの応答メッセージを送信するステップであって、前記第2のメッセージの前記応答メッセージは、前記端末のために前記第2のRANネットワークエレメントによって構成されるリソースパラメータを含んでいる、ステップとを含む、方法。
【請求項７】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項6に記載の方法。
【請求項８】
前記第2のメッセージは前記RRC接続の前記確立が完了したことを前記第2のRANネットワークエレメントに通知するためにさらに使われる、請求項6または7に記載の方法。
【請求項９】
前記方法は、
前記第2のRANネットワークエレメントにより、前記第1のRANネットワークエレメントから第4のメッセージを受信するステップであって、前記第4のメッセージは、前記RRC接続の前記確立が完了したことを前記第2のRANネットワークエレメントに通知するために使われ、第3のメッセージは、前記第1のRANネットワークエレメントが前記第2のRANネットワークエレメントへ前記第4のメッセージを送信する前に前記端末から前記第1のRANネットワークエレメントによって受信されるメッセージであり、前記第3のメッセージは、前記RRC接続の前記確立が完了したことを前記第1のRANネットワークエレメントに通知するために使われる、ステップをさらに含む、請求項6または7に記載の方法。
【請求項１０】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第1のRANネットワークエレメントにより、端末から第1の要求メッセージを受信するステップであって、前記第1の要求メッセージは、前記端末と前記RANとの無線リソース制御RRC接続の確立を要求するために使われる、ステップと、
前記第1のRANネットワークエレメントにより、前記端末の前記RRC接続の前記確立のために無線リソースを構成するステップと、
前記第1のRANネットワークエレメントにより、前記第2のRANネットワークエレメントへ第2の要求メッセージを送信するステップであって、前記第2の要求メッセージは、前記端末が前記RANへの前記RRC接続の前記確立を要求していることを前記第2のRANネットワークエレメントに通知するために使われる、ステップと、
前記第1のRANネットワークエレメントにより、前記第2のRANネットワークエレメントから前記第2の要求メッセージの応答メッセージを受信するステップであって、前記第2の要求メッセージの前記応答メッセージは、前記第2のRANネットワークエレメントが前記第2の要求メッセージに基づいて前記RRC接続を確立することを決定する場合に前記第1のRANネットワークエレメントへ送信されるメッセージであり、前記第2の要求メッセージの前記応答メッセージは、前記端末と前記RANとの前記RRC接続を確立することを決定することを前記第1のRANネットワークエレメントに通知するために使われる、ステップと、
前記第1のRANネットワークエレメントにより、前記第2の要求メッセージの前記応答メッセージに基づいて前記端末へ前記第1の要求メッセージの応答メッセージを送信するステップであって、前記第1の要求メッセージの前記応答メッセージは、前記端末と前記RANとの前記RRC接続の前記確立が決定されたことを前記端末に通知するために使われる、ステップと、
前記第1のRANネットワークエレメントにより、前記端末によって送信される第1のRRC接続確立完了メッセージを受信するステップであって、前記第1のRRC接続確立完了メッセージは、前記RRC接続の前記確立が完了したことを前記第1のRANネットワークエレメントに通知するために使われる、ステップとを含む、方法。
【請求項１１】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項10に記載の方法。
【請求項１２】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項10または11に記載の方法。
【請求項１３】
前記第1のRANネットワークエレメントにより、前記端末によって送信される第1のRRC接続確立完了メッセージを受信する前記ステップの後に、前記方法は、
前記第1のRANネットワークエレメントにより、前記第2のRANネットワークエレメントへ第2のRRC接続確立完了メッセージを送信するステップであって、前記第2のRRC接続確立完了メッセージは、前記RRC接続の前記確立が完了したことを前記第2のRANネットワークエレメントに通知するために使われる、ステップをさらに含む、請求項10から12のいずれか一項に記載の方法。
【請求項１４】
通信システムで使われる通信方法であって、前記通信システムは無線アクセスネットワークRANを含んでおり、前記RANは第1のRANネットワークエレメントと第2のRANネットワークエレメントとを含んでおり、前記第1のRANネットワークエレメントと前記第2のRANネットワークエレメントは相互に接続されており、前記方法は、
前記第2のRANネットワークエレメントにより、前記第1のRANネットワークエレメントから第2の要求メッセージを受信するステップであって、前記第2の要求メッセージは、端末が前記RANへの無線リソース制御RRC接続の確立を要求していることを前記第2のRANネットワークエレメントに通知するために使われる、ステップと、
前記第2のRANネットワークエレメントにより、前記第2の要求メッセージに基づいて前記RRC接続を確立することを決定するステップであって、前記第2のRANネットワークエレメントは前記端末の前記RRC接続の前記確立のためにリソースを構成する、ステップと、
前記第2のRANネットワークエレメントにより、前記第1のRANネットワークエレメントへ前記第2の要求メッセージの応答メッセージを送信するステップであって、前記第2の要求メッセージの前記応答メッセージは、前記端末と前記RANとの前記RRC接続を確立することを決定することを前記第1のRANネットワークエレメントに通知するために使われる、ステップとを含む、方法。
【請求項１５】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項14に記載の方法。
【請求項１６】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項14または15に記載の方法。
【請求項１７】
前記第2のRANネットワークエレメントにより、前記第1のRANネットワークエレメントへ前記第2の要求メッセージの応答メッセージを送信する前記ステップの後に、前記方法は、
前記第2のRANネットワークエレメントにより、前記第1のRANネットワークエレメントから第2の接続確立完了メッセージを受信するステップであって、第1のRRC接続確立完了メッセージは、前記第1のRANネットワークエレメントが前記第2のRANネットワークエレメントへ前記第2の接続確立完了メッセージを送信する前に前記端末から受信されるメッセージであり、前記第1のRRC接続確立完了メッセージは、前記RRC接続の前記確立が完了したことを前記第1のRANネットワークエレメントに通知するために使われ、第2のRRC接続確立完了メッセージは、前記RRC接続の前記確立が完了したことを前記第2のRANネットワークエレメントに通知するために使われる、ステップをさらに含む、請求項14から16のいずれか一項に記載の方法。
【請求項１８】
第1のRANネットワークエレメントであって、通信システムは無線アクセスネットワークRANを含んでおり、前記RANは前記第1のRANネットワークエレメントと第2のRANネットワークエレメントとを含んでおり、前記第1のRANネットワークエレメントと前記第2のRANネットワークエレメントは相互に接続されており、前記第1のRANネットワークエレメントは、
端末から第1のメッセージを受信するように構成された受信ユニットであって、前記第1のメッセージは、前記端末と前記RANとの無線リソース制御RRC接続の確立を要求するために使われる、受信ユニットと、
前記第1のメッセージに基づいて前記RRC接続を確立することを決定するように構成された処理ユニットと、
前記端末へ前記第1のメッセージの応答メッセージを送信するように構成された送信ユニットであって、前記第1のメッセージの前記応答メッセージは、前記端末と前記RANとの前記RRC接続の前記確立が決定されたことを前記端末に通知するために使われる、送信ユニットとを含み、
前記送信ユニットは、前記第2のRANネットワークエレメントへ第2のメッセージを送信し、前記第2のメッセージは、前記端末の前記RRC接続の前記確立のためにリソースを構成することを前記第2のRANネットワークエレメントに要求するために使われる、ようにさらに構成され、
前記受信ユニットは、前記第2のRANネットワークエレメントから前記第2のメッセージの応答メッセージを受信し、前記第2のメッセージの前記応答メッセージは、前記端末のために前記第2のRANネットワークエレメントによって構成されるリソースパラメータを含んでいる、するようにさらに構成される、第1のRANネットワークエレメント。
【請求項１９】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項18に記載の第1のRANネットワークエレメント。
【請求項２０】
前記送信ユニットが前記端末へ前記第1のメッセージの前記応答メッセージを送信した後に、
前記受信ユニットは前記端末によって送信される第3のメッセージを受信し、前記第3のメッセージは、前記RRC接続の前記確立が完了したことを前記第1のRANネットワークエレメントに通知するために使われる、ようにさらに構成される、請求項18または19に記載の第1のRANネットワークエレメント。
【請求項２１】
前記受信ユニットが前記第3のメッセージを受信した後に、
前記送信ユニットは前記第2のRANネットワークエレメントへ第4のメッセージを送信し、前記第4のメッセージは、前記RRC接続の前記確立が完了したことを前記第2のRANネットワークエレメントに通知するために使われる、ようにさらに構成される、請求項20に記載の第1のRANネットワークエレメント。
【請求項２２】
前記第2のメッセージは前記RRC接続の前記確立が完了したことを前記第2のRANネットワークエレメントに通知するためにさらに使われる、請求項18から20のいずれか一項に記載の第1のRANネットワークエレメント。
【請求項２３】
第2のRANネットワークエレメントであって、通信システムは無線アクセスネットワークRANを含んでおり、前記RANは第1のRANネットワークエレメントと前記第2のRANネットワークエレメントとを含んでおり、前記第1のRANネットワークエレメントと前記第2のRANネットワークエレメントは相互に接続されており、前記第2のRANネットワークエレメントは、
前記第1のRANネットワークエレメントから第2のメッセージを受信するように構成された受信ユニットであって、前記第2のメッセージは、端末のRRC接続の確立のためにリソースを構成することを前記第2のRANネットワークエレメントに要求するために使われる、受信ユニットと、
前記第1のRANネットワークエレメントへ前記第2のメッセージの応答メッセージを送信するように構成された送信ユニットであって、前記第2のメッセージの前記応答メッセージは、前記端末のために前記第2のRANネットワークエレメントによって構成されるリソースパラメータを含んでいる、送信ユニットとを含む、第2のRANネットワークエレメント。
【請求項２４】
前記第2のメッセージは第1の識別子を含んでおり、前記第1の識別子は前記第1のRANネットワークエレメントによって割り当てられ、前記第1のRANネットワークエレメントの範囲内で前記端末を識別するために使われ、あるいは前記第2のメッセージの前記応答メッセージは前記第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項23に記載の第2のRANネットワークエレメント。
【請求項２５】
前記第2のメッセージは前記RRC接続の前記確立が完了したことを前記第2のRANネットワークエレメントに通知するためにさらに使われる、請求項23または24に記載の第2のRANネットワークエレメント。
【請求項２６】
前記受信ユニットは前記第1のRANネットワークエレメントから第4のメッセージを受信し、前記第4のメッセージは、前記RRC接続の前記確立が完了したことを前記第2のRANネットワークエレメントに通知するために使われ、第3のメッセージは、前記第1のRANネットワークエレメントが前記第2のRANネットワークエレメントへ前記第4のメッセージを送信する前に前記端末から前記第1のRANネットワークエレメントによって受信されるメッセージであり、前記第3のメッセージは、前記RRC接続の前記確立が完了したことを前記第1のRANネットワークエレメントに通知するために使われる、ようにさらに構成される、
請求項23または24に記載の第2のRANネットワークエレメント。
【請求項２７】
第1のRANネットワークエレメントであって、通信システムは無線アクセスネットワークRANを含んでおり、前記RANは前記第1のRANネットワークエレメントと第2のRANネットワークエレメントとを含んでおり、前記第1のRANネットワークエレメントと前記第2のRANネットワークエレメントは相互に接続されており、前記第1のRANネットワークエレメントは、
端末から第1の要求メッセージを受信するように構成された受信ユニットであって、前記第1の要求メッセージは、前記端末と前記RANとの無線リソース制御RRC接続の確立を要求するために使われる、受信ユニットと、
前記端末の前記RRC接続の前記確立のためにリソースを構成するように構成された処理ユニットと、
前記第2のRANネットワークエレメントへ第2の要求メッセージを送信するように構成された送信ユニットであって、前記第2の要求メッセージは、前記端末が前記RANへの前記RRC接続の前記確立を要求していることを前記第2のRANネットワークエレメントに通知するために使われる、送信ユニットとを含み、
前記受信ユニットは前記第2のRANネットワークエレメントから前記第2の要求メッセージの応答メッセージを受信し、前記第2の要求メッセージの前記応答メッセージは、前記端末と前記RANとの前記RRC接続を確立することを決定することを前記第1のRANネットワークエレメントに通知するために使われる、ようにさらに構成され、
前記送信ユニットは前記第2の要求メッセージの前記応答メッセージに基づいて前記端末へ第1の要求メッセージの応答メッセージを送信し、前記第1の要求メッセージの前記応答メッセージは、前記端末と前記RANとの前記RRC接続の前記確立が決定されたことを前記端末に通知するために使われる、ようにさらに構成され、
前記受信ユニットは前記端末によって送信される第1のRRC接続確立完了メッセージを受信するようにさらに構成される、第1のRANネットワークエレメント。
【請求項２８】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項27に記載の第1のRANネットワークエレメント。
【請求項２９】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項27または28に記載の第1のRANネットワークエレメント。
【請求項３０】
前記送信ユニットは前記第2のRANネットワークエレメントへ第2のRRC接続確立完了メッセージを送信し、前記第2のRRC接続確立完了メッセージは、前記RRC接続の前記確立が完了したことを前記第2のRANネットワークエレメントに通知するために使われる、ようにさらに構成される、
請求項27から29のいずれか一項に記載の第1のRANネットワークエレメント。
【請求項３１】
第2のRANネットワークエレメントであって、通信システムは無線アクセスネットワークRANを含んでおり、前記RANは第1のRANネットワークエレメントと前記第2のRANネットワークエレメントとを含んでおり、前記第1のRANネットワークエレメントと前記第2のRANネットワークエレメントは相互に接続されており、前記第2のRANネットワークエレメントは、
前記第1のRANネットワークエレメントから第2の要求メッセージを受信するように構成された受信ユニットであって、前記第2の要求メッセージは、端末が前記RANへのRRC接続の確立を要求していることを前記第2のRANネットワークエレメントに通知するために使われる、受信ユニットと、
前記第2のRANネットワークエレメントのために、前記端末の前記RRC接続の前記確立のためにリソースを構成するように構成された処理ユニットと、
前記第1のRANネットワークエレメントへ前記第2の要求メッセージの応答メッセージを送信するように構成された送信ユニットであって、前記第2の要求メッセージの前記応答メッセージは、前記端末と前記RANとの前記RRC接続を確立することを決定することを前記第1のRANネットワークエレメントに通知するために使われる、送信ユニットとを含む、第2のRANネットワークエレメント。
【請求項３２】
前記第2の要求メッセージは第1の識別子を含んでおり、前記第1の識別子は前記第1のRANネットワークエレメントによって割り当てられ、前記第1のRANネットワークエレメントの範囲内で前記端末を識別するために使われる、請求項31に記載の第2のRANネットワークエレメント。
【請求項３３】
前記第2の要求メッセージの前記応答メッセージは第1の識別子と第2の識別子とを含んでおり、前記第2の識別子は前記第2のRANネットワークエレメントによって割り当てられ、前記第2のRANネットワークエレメントの範囲内で前記端末を識別するために使われる、請求項31または32に記載の第2のRANネットワークエレメント。
【請求項３４】
前記受信ユニットは前記第1のRANネットワークエレメントから第2の接続確立完了メッセージを受信し、第1のRRC接続確立完了メッセージは、前記第1のRANネットワークエレメントが前記第2のRANネットワークエレメントへ前記第2の接続確立完了メッセージを送信する前に前記端末から受信されるメッセージであり、前記第1のRRC接続確立完了メッセージは、前記RRC接続の前記確立が完了したことを前記第1のRANネットワークエレメントに通知するために使われ、第2のRRC接続確立完了メッセージは、前記RRC接続の前記確立が完了したことを前記第2のRANネットワークエレメントに通知するために使われる、ようにさらに構成される、
請求項31から32のいずれか一項に記載の第2のRANネットワークエレメント。
【請求項３５】
通信システムであって、前記通信システムは無線アクセスネットワークRANを含んでおり、前記RANは請求項18から22のいずれか一項に記載の第1のRANネットワークエレメントと請求項23から26のいずれか一項に記載の第2のRANネットワークエレメントとを含んでおり、前記第1のRANネットワークエレメントと前記第2のRANネットワークエレメントは相互に接続されている、通信システム。
【請求項３６】
通信システムであって、前記通信システムは無線アクセスネットワークRANを含んでおり、前記RANは請求項27から30のいずれか一項に記載の第1のRANネットワークエレメントと請求項31から34のいずれか一項に記載の第2のRANネットワークエレメントとを含んでおり、前記第1のRANネットワークエレメントと前記第2のRANネットワークエレメントは相互に接続されている、通信システム。
【請求項３７】
コンピュータプログラムが記憶されたコンピュータ記憶媒体であって、前記プログラムがプロセッサによって実行されると、
請求項1から5のいずれか一項に記載の方法が実行されるか、または、
請求項6から9のいずれか一項に記載の方法が実行されるか、または、
請求項10から13のいずれか一項に記載の方法が実行されるか、または、
請求項14から17のいずれか一項に記載の方法が実行される、
コンピュータ記憶媒体。
【請求項３８】
プログラムであって、プロセッサによって実行されると、
請求項1から5のいずれか一項に記載の方法が実行されるか、または、
請求項6から9のいずれか一項に記載の方法が実行されるか、または、
請求項10から13のいずれか一項に記載の方法が実行されるか、または、
請求項14から17のいずれか一項に記載の方法が実行される、
プログラム。
【国際調査報告】
2020522950.tif 000013
2020522950.tif 000014
2020522950.tif 000015
2020522950.tif 000016
2020522950.tif 000017